(57)【要約】  メッセージビーコンデバイスのリーチを最適化するためのシステムおよび方法が開示される。この方法は、メッセージビーコンデバイスに関連する複数のトランシーバを特定するステップと、各特定されたトランシーバを、特定されたトランシーバに関連するリソース消費、複数の特定されたトランシーバのうちの異なるトランシーバとの特定されたトランシーバの干渉、特定されたトランシーバのリーチ、またはそれらの組合せに基づいて分析するステップと、各特定されたトランシーバの分析に基づいて、複数の特定されたトランシーバから送信セットを選択するステップと、送信セット内の各選択されたトランシーバを使用して、メッセージビーコンを送信するステップとを含み得る。
2018525879.tif 000002
【特許請求の範囲】
【請求項１】
メッセージビーコンデバイスのリーチを最適化するための方法であって、
前記メッセージビーコンデバイスに関連する複数のトランシーバを特定するステップと、
各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するステップと、
各特定されたトランシーバの前記分析に基づいて、前記複数の特定されたトランシーバから送信セットを選択するステップと、
前記送信セット内の各選択されたトランシーバを使用して、メッセージビーコンを送信するステップと
を含む、方法。
【請求項２】
各特定されたトランシーバを分析するステップが、各特定されたトランシーバの動作に関連するリソース消費インジケータを決定するステップを含み、
送信セットを選択するステップが、各分析されたトランシーバに関して、
前記リソース消費インジケータが第1のリソース消費しきい値未満であるとの決定に応じて、前記選択された送信セット内に前記分析されたトランシーバを含めるステップと、
前記リソース消費インジケータが第2のリソース消費しきい値よりも大きいとの決定に応じて、前記選択された送信セットから前記分析されたトランシーバを除外するステップと
を含む、請求項1に記載の方法。
【請求項３】
前記リソース消費インジケータを決定するステップが、
前記メッセージビーコンデバイスが、一定電源に関連付けられるか、または消耗電源に関連付けられるかを決定するステップと、
前記メッセージビーコンデバイスが前記消耗電源に関連付けられるとの決定に応じて、前記リソース消費インジケータを増大させるステップと、
前記メッセージビーコンデバイスが前記一定電源に関連付けられるとの決定に応じて、前記リソース消費インジケータを低減させるステップと
を含む、請求項2に記載の方法。
【請求項４】
前記リソース消費インジケータを決定するステップが、
各特定されたトランシーバに関連する電力消費率を決定するステップと、
前記特定されたトランシーバが高い電力消費率に関連付けられるとの決定に応じて、前記リソース消費インジケータを増大させるステップと、
前記特定されたトランシーバが低い電力消費率に関連付けられるとの決定に応じて、前記リソース消費インジケータを低減させるステップと
を含む、請求項2に記載の方法。
【請求項５】
前記リソース消費インジケータを決定するステップが、
各特定されたトランシーバに関連するメッセージビーコン送信間隔を決定するステップと、
前記特定されたトランシーバが高いメッセージビーコン送信間隔に関連付けられるとの決定に応じて、前記リソース消費インジケータを増大させるステップと、
前記特定されたトランシーバが低いメッセージビーコン送信間隔に関連付けられるとの決定に応じて、前記リソース消費インジケータを低減させるステップと
を含む、請求項2に記載の方法。
【請求項６】
各特定されたトランシーバを分析するステップが、各特定されたトランシーバの動作に関連する干渉インジケータを決定するステップを含み、
送信セットを選択するステップが、各分析されたトランシーバに関して、
前記干渉インジケータが第1の干渉しきい値未満であるとの決定に応じて、前記選択された送信セット内に前記分析されたトランシーバを含めるステップと、
前記干渉インジケータが第2の干渉しきい値よりも大きいとの決定に応じて、前記選択された送信セットから前記分析されたトランシーバを除外するステップと
を含む、請求項1に記載の方法。
【請求項７】
各特定されたトランシーバの動作に関連する干渉インジケータを決定するステップが、
各特定されたトランシーバからのメッセージビーコン送信によって前記異なるトランシーバにおいて引き起こされる干渉を反映する干渉値を推定するステップと、
前記特定されたトランシーバが高い干渉レベルに関連付けられるとの決定に応じて、前記干渉インジケータを増大させるステップと、
前記特定されたトランシーバが低い干渉レベルに関連付けられるとの決定に応じて、前記干渉インジケータを低減させるステップと
を含む、請求項6に記載の方法。
【請求項８】
前記干渉値を推定するステップが、
前記メッセージビーコン送信によって引き起こされる前記干渉値を測定するステップと、
前記特定されたトランシーバに関連する無線アクセス技術、前記特定されたトランシーバに関連するメッセージビーコン送信間隔、前記特定されたトランシーバに関連する送信電力、またはそれらの組合せに基づいて、ルックアップテーブルから前記干渉値を決定するステップと
を含む、請求項7に記載の方法。
【請求項９】
各特定されたトランシーバを分析するステップが、各特定されたトランシーバの動作に関連するリーチインジケータを決定するステップを含み、
送信セットを選択するステップが、各分析されたトランシーバに関して、
前記リーチインジケータが第1のリーチしきい値よりも大きいとの決定に応じて、前記選択された送信セット内に前記分析されたトランシーバを含めるステップと、
前記リーチインジケータが第2のリーチしきい値未満であるとの決定に応じて、前記選択された送信セットから前記分析されたトランシーバを除外するステップと
を含む、請求項1に記載の方法。
【請求項１０】
リーチインジケータを決定するステップが、
各特定されたトランシーバを使用して、肯定応答を受信するステップと、
受信された肯定応答の数をカウントするステップと、
前記特定されたトランシーバが多数の受信された肯定応答に関連付けられるとの決定に応じて、前記リーチインジケータを増大させるステップと、
前記特定されたトランシーバが少数の受信された肯定応答に関連付けられるとの決定に応じて、前記リーチインジケータを低減させるステップと
を含む、請求項9に記載の方法。
【請求項１１】
リーチインジケータを決定するステップが、
各特定されたトランシーバに関連するベンダー、製造会社、またはメッセージビーコンプロトコルを特定するステップと、
前記特定されたベンダー、製造会社、またはメッセージビーコンプロトコルに基づいて、各特定されたトランシーバに関連する前記リーチインジケータを設定するステップと
を含む、請求項9に記載の方法。
【請求項１２】
メッセージビーコンデバイスであって、
前記メッセージビーコンデバイスに関連する複数のトランシーバと、
前記複数のトランシーバの各々を特定し、各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するように構成されたトランシーバ分析器と、
各特定されたトランシーバの前記分析に基づいて、前記複数の特定されたトランシーバから送信セットを選択するように構成された送信セット選択器と、
前記選択された送信セット内の各選択されたトランシーバにメッセージビーコンを提供するように構成されたメッセージビーコン選択器と
を備える、メッセージビーコンデバイス。
【請求項１３】
前記トランシーバ分析器が、各特定されたトランシーバの動作に関連するリソース消費インジケータを決定するように構成され、
前記送信セット選択器が、各分析されたトランシーバに関して、
前記リソース消費インジケータが第1のリソース消費しきい値未満であるとの決定に応じて、前記送信セット内に前記分析されたトランシーバを含め、
前記リソース消費インジケータが第2のリソース消費しきい値よりも大きいとの決定に応じて、前記送信セットから前記分析されたトランシーバを除外する
ように構成される、請求項12に記載のメッセージビーコンデバイス。
【請求項１４】
前記トランシーバ分析器が、
前記メッセージビーコンデバイスが、一定電源に関連付けられるか、または消耗電源に関連付けられるかを決定し、
前記メッセージビーコンデバイスが前記消耗電源に関連付けられるとの決定に応じて、前記リソース消費インジケータを増大させ、
前記メッセージビーコンデバイスが前記一定電源に関連付けられるとの決定に応じて、前記リソース消費インジケータを低減させる
ようにさらに構成される、請求項13に記載のメッセージビーコンデバイス。
【請求項１５】
前記トランシーバ分析器が、
各特定されたトランシーバに関連する電力消費率を決定し、
前記特定されたトランシーバが高い電力消費率に関連付けられるとの決定に応じて、前記リソース消費インジケータを増大させ、
前記特定されたトランシーバが低い電力消費率に関連付けられるとの決定に応じて、前記リソース消費インジケータを低減させる
ようにさらに構成される、請求項13に記載のメッセージビーコンデバイス。
【請求項１６】
前記トランシーバ分析器が、
各特定されたトランシーバに関連するメッセージビーコン送信間隔を決定し、
前記特定されたトランシーバが高いメッセージビーコン送信間隔に関連付けられるとの決定に応じて、前記リソース消費インジケータを増大させ、
前記特定されたトランシーバが低いメッセージビーコン送信間隔に関連付けられるとの決定に応じて、前記リソース消費インジケータを低減させる
ようにさらに構成される、請求項13に記載のメッセージビーコンデバイス。
【請求項１７】
前記トランシーバ分析器が、各特定されたトランシーバの動作に関連する干渉インジケータを決定するように構成され、
前記送信セット選択器が、各分析されたトランシーバに関して、
前記干渉インジケータが第1の干渉しきい値未満であるとの決定に応じて、前記送信セット内に前記分析されたトランシーバを含め、
前記干渉インジケータが第2の干渉しきい値よりも大きいとの決定に応じて、前記送信セットから前記分析されたトランシーバを除外する
ように構成される、請求項12に記載のメッセージビーコンデバイス。
【請求項１８】
前記トランシーバ分析器が、
各特定されたとトランシーバからのメッセージビーコン送信によって前記異なるトランシーバにおいて引き起こされる干渉を反映する干渉値を推定し、
前記特定されたトランシーバが高い干渉レベルに関連付けられるとの決定に応じて、前記干渉インジケータを増大させ、
前記特定されたトランシーバが低い干渉レベルに関連付けられるとの決定に応じて、前記干渉インジケータを低減させる
ようにさらに構成される、請求項17に記載のメッセージビーコンデバイス。
【請求項１９】
前記トランシーバ分析器が、
前記メッセージビーコン送信によって引き起こされる前記干渉値を測定し、
前記特定されたトランシーバに関連する無線アクセス技術、前記特定されたトランシーバに関連するメッセージビーコン送信間隔、前記特定されたトランシーバに関連する送信電力、またはそれらの組合せに基づいて、ルックアップテーブルから前記干渉値を決定する
ようにさらに構成される、請求項18に記載のメッセージビーコンデバイス。
【請求項２０】
前記トランシーバ分析器が、各特定されたトランシーバの動作に関連するリーチインジケータを決定するように構成され、
前記送信セット選択器が、各分析されたトランシーバに関して、
前記リーチインジケータが第1のリーチしきい値よりも大きいとの決定に応じて、前記送信セット内に前記分析されたトランシーバを含め、
前記リーチインジケータが第2のリーチしきい値未満であるとの決定に応じて、前記送信セットから前記分析されたトランシーバを除外する
ように構成される、請求項12に記載のメッセージビーコンデバイス。
【請求項２１】
前記複数のトランシーバが、肯定応答を受信するようにさらに構成され、
前記トランシーバ分析器が、
各特定されたトランシーバによって受信された肯定応答の数をカウントし、
前記特定されたトランシーバが多数の受信された肯定応答に関連付けられるとの決定に応じて、前記リーチインジケータを増大させ、
前記特定されたトランシーバが少数の受信された肯定応答に関連付けられるとの決定に応じて、前記リーチインジケータを低減させる
ようにさらに構成される、請求項20に記載のメッセージビーコンデバイス。
【請求項２２】
前記トランシーバ分析器が、
各特定されたトランシーバに関連するベンダー、製造会社、またはメッセージビーコンプロトコルを特定し、
前記特定された、ベンダー、製造会社、またはメッセージビーコンプロトコルに基づいて、各特定されたトランシーバに関連する前記リーチインジケータを設定する
ようにさらに構成される、請求項20に記載のメッセージビーコンデバイス。
【請求項２３】
メッセージビーコンデバイスのリーチを最適化するための装置であって、
前記メッセージビーコンデバイスに関連する複数のトランシーバを特定するための手段と、
各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するための手段と、
各特定されたトランシーバの前記分析に基づいて、前記複数の特定されたトランシーバから送信セットを選択するための手段と、
前記送信セット内の各選択されたトランシーバを使用して、メッセージビーコンを送信するための手段と
を備える、装置。
【請求項２４】
各特定されたトランシーバを分析するための前記手段が、各特定されたトランシーバの動作に関連するリソース消費インジケータを決定するための手段を備え、
送信セットを選択するための前記手段が、
前記リソース消費インジケータが第1のリソース消費しきい値未満であるとの決定に応じて、前記選択された送信セット内に前記分析されたトランシーバを含めるための手段と、
前記リソース消費インジケータが第2のリソース消費しきい値よりも大きいとの決定に応じて、前記選択された送信セットから前記分析されたトランシーバを除外するための手段と
を備える、請求項23に記載の装置。
【請求項２５】
各特定されたトランシーバを分析するための前記手段が、各特定されたトランシーバの動作に関連する干渉インジケータを決定するための手段を備え、
送信セットを選択するための前記手段が、
前記干渉インジケータが第1の干渉しきい値未満であるとの決定に応じて、前記選択された送信セット内に前記分析されたトランシーバを含めるための手段と、
前記干渉インジケータが第2の干渉しきい値よりも大きいとの決定に応じて、前記選択された送信セットから前記分析されたトランシーバを除外するための手段と
を備える、請求項23に記載の装置。
【請求項２６】
各特定されたトランシーバを分析するための前記手段が、各特定されたトランシーバの動作に関連するリーチインジケータを決定するための手段を備え、
送信セットを選択するための前記手段が、
前記リーチインジケータが第1のリーチしきい値よりも大きいとの決定に応じて、前記選択された送信セット内に前記分析されたトランシーバを含めるための手段と、
前記リーチインジケータが第2のリーチしきい値未満であるとの決定に応じて、前記選択された送信セットから前記分析されたトランシーバを除外するための手段と
を備える、請求項23に記載の装置。
【請求項２７】
プロセッサによって実行されると、前記プロセッサに、メッセージビーコンデバイスのリーチを最適化するための動作を実行させるコードを備える非一時的コンピュータ可読媒体であって、
前記メッセージビーコンデバイスに関連する複数のトランシーバを特定するためのコードと、
各特定されたトランシーバを、前記特定されたトランシーバに関連するリソース消費、前記複数の特定されたトランシーバのうちの異なるトランシーバとの前記特定されたトランシーバの干渉、前記特定されたトランシーバのリーチ、またはそれらの組合せに基づいて分析するためのコードと、
各特定されたトランシーバの前記分析に基づいて、前記複数の特定されたトランシーバから送信セットを選択するためのコードと、
前記送信セット内の各選択されたトランシーバを使用して、メッセージビーコンを送信するための手段と
を備える、非一時的コンピュータ可読媒体。
【請求項２８】
各特定されたトランシーバを分析するための前記コードが、各特定されたトランシーバの動作に関連するリソース消費インジケータを決定するためのコードを備え、
送信セットを選択するための前記コードが、
前記リソース消費インジケータが第1のリソース消費しきい値未満であるとの決定に応じて、前記選択された送信セット内に前記分析されたトランシーバを含めるためのコードと、
前記リソース消費インジケータが第2のリソース消費しきい値よりも大きいとの決定に応じて、前記選択された送信セットから前記分析されたトランシーバを除外するためのコードと
を備える、請求項27に記載の非一時的コンピュータ可読媒体。
【請求項２９】
各特定されたトランシーバを分析するための前記コードが、各特定されたトランシーバの動作に関連する干渉インジケータを決定するためのコードを備え、
送信セットを選択するための前記コードが、
前記干渉インジケータが第1の干渉しきい値未満であるとの決定に応じて、前記選択された送信セット内に前記分析されたトランシーバを含めるためのコードと、
前記干渉インジケータが第2の干渉しきい値よりも大きいとの決定に応じて、前記選択された送信セットから前記分析されたトランシーバを除外するためのコードと
を備える、請求項27に記載の非一時的コンピュータ可読媒体。
【請求項３０】
各特定されたトランシーバを分析するための前記コードが、各特定されたトランシーバの動作に関連するリーチインジケータを決定するためのコードを備え、
送信セットを選択するための前記コードが、
前記リーチインジケータが第1のリーチしきい値よりも大きいとの決定に応じて、前記選択された送信セット内に前記分析されたトランシーバを含めるためのコードと、
前記リーチインジケータが第2のリーチしきい値未満であるとの決定に応じて、前記選択された送信セットから前記分析されたトランシーバを除外するためのコードと
を備える、請求項27に記載の非一時的コンピュータ可読媒体。
【発明の詳細な説明】
【技術分野】
【０００１】
本開示の態様は、一般に、メッセージビーコンデバイスに関し、より詳細には、メッセージビーコンデバイスのリーチを最適化するためのシステムおよび方法に関する。
【背景技術】
【０００２】
メッセージビーコンは、近接したワイヤレスデバイスと情報をワイヤレスに共有するために、ますます使用されている。メッセージビーコンは、既存のインフラストラクチャの一部であり得るか、またはメッセージビーコンを送信するように特に設計されたデバイスであり得るメッセージビーコンデバイスによって送信されることがある。メッセージビーコンデバイスは、そこからメッセージビーコンが送信される特定のエリアに近接したデバイスにロケーションベースの追跡サービス(具体的には屋内)を広告することを含めて、様々なアプリケーションを有する。
【０００３】
メッセージビーコンデバイスは、いくつかの異なるトランシーバを装備し得る。トランシーバは、異なるワイヤレスプロトコルおよび/またはアプリケーションプロトコル(すなわち、ベンダー固有のプロトコル、または製造者固有のプロトコル)に従って動作し得る。異なるワイヤレスデバイスは、やはり異なるワイヤレスプロトコルおよび/またはアプリケーションプロトコルに従って動作するので、メッセージビーコンデバイス内のトランシーバの数を増大することは有利であり得る。メッセージビーコンデバイスおよび近接したワイヤレスデバイスが少なくとも1つの共通のワイヤレスプロトコルを共有することを確実にすることによって、メッセージビーコンデバイスのリーチを最大化することができる。メッセージビーコンデバイスのリーチは、メッセージビーコンデバイスからメッセージビーコンを受信する近接したワイヤレスデバイスの数として単に定義され得る。
【０００４】
リーチを最大化する1つの方法は、メッセージビーコンデバイスを装備するすべてのトランシーバを使用して、可能な限り多くのメッセージビーコンを送信することである。しかしながら、この手法は他の要因に対応することができない。たとえば、メッセージビーコンデバイスに利用可能なリソースのレベル(たとえば、電源のタイプ、消費率など)に応じて、リーチの最大化は最適な手法でない場合がある。同様に、マルチトランシーバメッセージビーコンデバイス内の1つのトランシーバのある種の動作は、マルチトランシーバメッセージビーコンデバイス内の別のトランシーバの動作に干渉する場合がある。リソースが乏しく、干渉の影響が高い場合、考慮せずにリーチを最大化することは最良の手法でない場合がある。したがって、メッセージビーコンデバイスのリーチを最適化するための新しい解決策が必要とされる。これらの解決策は追加のワイヤレスデバイスに到達するコストおよび利益を考慮に入れることが理想的である。
【発明の概要】
【課題を解決するための手段】
【０００５】
一態様では、本開示は、メッセージビーコンデバイスのリーチを最適化するための方法を提供する。この方法は、たとえば、メッセージビーコンデバイスに関連する複数のトランシーバを特定するステップと、各特定されたトランシーバを、特定されたトランシーバに関連するリソース消費、複数の特定されたトランシーバのうちの異なるトランシーバとの特定されたトランシーバの干渉、特定されたトランシーバのリーチ、またはそれらの組合せに基づいて分析するステップと、各特定されたトランシーバの分析に基づいて、複数の特定されたトランシーバから送信セットを選択するステップと、送信セット内の各選択されたトランシーバを使用して、メッセージビーコンを送信するステップとを含み得る。
【０００６】
別の態様では、本開示は、最適化されたリーチを有するメッセージビーコンデバイスを提供する。このメッセージビーコンデバイスは、たとえば、メッセージビーコンデバイスに関連する複数のトランシーバと、複数のトランシーバの各々を特定するように構成されたトランシーバ分析器であって、各特定されたトランシーバを、特定されたトランシーバに関連するリソース消費、複数の特定されたトランシーバのうちの異なるトランシーバとの特定されたトランシーバの干渉、特定されたトランシーバのリーチ、またはそれらの組合せに基づいて分析するように構成されたトランシーバ分析器と、各特定されたトランシーバの分析に基づいて、複数の特定されたトランシーバから送信セットを選択するように構成された送信セット選択器と、選択された送信セット内の各選択されたトランシーバにメッセージビーコンを提供するように構成されたメッセージビーコン選択器とを備え得る。
【０００７】
さらに別の態様では、本開示は、メッセージビーコンデバイスのリーチを最適化するための装置を提供する。この装置は、たとえば、メッセージビーコンデバイスに関連する複数のトランシーバを特定するための手段と、各特定されたトランシーバを、特定されたトランシーバに関連するリソース消費、複数の特定されたトランシーバのうちの異なるトランシーバとの特定されたトランシーバの干渉、特定されたトランシーバのリーチ、またはそれらの組合せに基づいて分析するための手段と、各特定されたトランシーバの分析に基づいて、複数の特定されたトランシーバから送信セットを選択するための手段と、送信セット内の各選択されたトランシーバを使用して、メッセージビーコンを送信するための手段とを備え得る。
【０００８】
さらに別の態様では、本開示は、プロセッサによって実行されると、プロセッサに、メッセージビーコンデバイスのリーチを最適化するための動作を実行させるコードを備える非一時的コンピュータ可読媒体を提供する。この非一時的コンピュータ可読媒体は、たとえば、メッセージビーコンデバイスに関連する複数のトランシーバを特定するためのコードと、特定されたトランシーバに関連するリソース消費、複数の特定されたトランシーバのうちの異なるトランシーバとの特定されたトランシーバの干渉、特定されたトランシーバのリーチ、またはそれらの組合せに基づいて、各特定されたトランシーバを分析するためのコードと、各特定されたトランシーバの分析に基づいて、複数の特定されたトランシーバから送信セットを選択するためのコードと、送信セット内の各選択されたトランシーバを使用して、メッセージビーコンを送信するためのコードとを備え得る。
【０００９】
本発明の実施形態およびその付随する利益の多くのより完全な諒解は、本発明を限定するためではなく単に例示するために提示される添付の図面とともに考察するときに次の詳細な説明を参照することによって、理解が深まるのに応じて容易に得られるであろう。
【図面の簡単な説明】
【００１０】
【図１】本開示の一態様によるワイヤレス通信環境を大まかに示す図である。
【図２】図1のワイヤレス通信環境内で対話するメッセージビーコンデバイスおよびワイヤレスデバイスを大まかに示す図である。
【図３】本開示の一態様によるワイヤレスデバイスの例を大まかに示す図である。
【図４】本開示の一態様による、機能を実行するように構成された論理を含む通信デバイスを大まかに示す図である。
【図５】本開示の一態様による、メッセージビーコンデバイスのリーチを最適化するための大まかな流れ図である。
【図６】本開示の別の態様による、メッセージビーコンデバイスのリーチを最適化するための大まかな流れ図である。
【図７】本開示の一態様による、メッセージビーコンデバイスのリソース消費を分析するための大まかな流れ図である。
【図８】本開示の一態様による、メッセージビーコンデバイスの干渉を分析するための大まかな流れ図である。
【図９】本開示の一態様による、メッセージビーコンデバイスのリーチを分析するための大まかな流れ図である。
【発明を実施するための形態】
【００１１】
本発明の態様は、本発明の特定の実施形態を対象とする次の説明および関係する図面において開示される。本発明の範囲から逸脱することなく、代替実施形態が案出されてよい。加えて、本発明のよく知られた要素については、本発明の関連する詳細を曖昧にしないように、詳細に説明されず、または省略される。「例示的」および/または「例」という言葉は、本明細書では「例、事例、または例示として機能すること」を意味するために使用される。本明細書で「例示的」および/または「例」として説明するいかなる実施形態も、必ずしも他の実施形態よりも好ましいか、または有利であると解釈されるべきではない。同様に、「本発明の実施形態」という用語は、本発明のすべての実施形態が、説明する特徴、利点、または動作モードを含むことを必要としない。さらに、多くの実施形態は、たとえば、コンピューティングデバイスの要素によって実行されるアクションのシーケンスの観点から説明される。本明細書で説明する様々なアクションは、特定の回路(たとえば、特定用途向け集積回路(ASIC))によって、1つまたは複数のプロセッサによって実行されるプログラム命令によって、または両方の組合せによって実行できることが認識されよう。加えて、本明細書で説明するこれらの一連のアクションは、実行されると、関連するプロセッサに本明細書で説明する機能を実行させる、対応するコンピュータ命令のセットを記憶した任意の形態のコンピュータ可読記憶媒体内において完全に具現化されるものと見なすことができる。したがって、本発明の様々な態様はいくつかの異なる形態で具現化されてもよく、それらのすべてが、請求する主題の範囲内に入ると考えられる。加えて、本明細書で説明する実施形態ごとに、任意のそのような実施形態の対応する形式は、本明細書では、たとえば、説明したアクションを実行する「ように構成された論理」として説明され得る。
【００１２】
本明細書ではワイヤレスデバイスと呼ばれるクライアントデバイスは、モバイルであってもまたは固定されていてもよく、および無線アクセスネットワーク(RAN)と通信してよい。本明細書において使用されるとき、「ワイヤレスデバイス」という用語は、「アクセス端末」または「AT」、「ワイヤレスデバイス」、「加入者デバイス」、「加入者端末」、「加入者局」、「ユーザ機器」またはUE、「ユーザ端末」またはUT、「モバイル端末」、「移動局」、およびそれらの変化形と交換可能に呼ばれる場合がある。概して、ワイヤレスデバイスは、RANを介してコアネットワークと通信することができ、コアネットワークを通じてワイヤレスデバイスはインターネットなどの外部ネットワークに接続され得る。当然、ワイヤレスには、ワイヤードアクセスネットワーク、(たとえば、IEEE 802.11などに基づく)Wi-Fiネットワークなどを介してなど、コアネットワークおよび/またはインターネットに接続する他の機構も考えられる。ワイヤレスデバイスは、限定はしないが、PCカード、コンパクトフラッシュ（登録商標）デバイス、外付けまたは内蔵のモデム、ワイヤレスまたは有線の電話またはタブレットなどを含むいくつかのタイプのデバイスのいずれかによって具現化され得る。ワイヤレスデバイスが信号をRANに送ることができる通信リンクは、アップリンクチャネル(たとえば、逆方向トラフィックチャネル、逆方向制御チャネル、アクセスチャネルなど)と呼ばれる。RANが信号をワイヤレスデバイスに送ることができる通信リンクは、ダウンリンクチャネルまたは順方向リンクチャネル(たとえば、ページングチャネル、制御チャネル、ブロードキャストチャネル、順方向トラフィックチャネルなど)と呼ばれる。本明細書で使用するトラフィックチャネル(TCH)という用語は、アップリンク/逆方向トラフィックチャネル、またはダウンリンク/順方向トラフィックチャネルのいずれかを指すことができる。
【００１３】
図1は、本開示の一態様によるワイヤレス通信環境100を示す。ワイヤレス通信環境100は、メッセージビーコンデバイス110と複数のワイヤレスデバイス120、130、140、150、160とを含む。
【００１４】
メッセージビーコンデバイス110は、図2の説明でさらに詳細に説明する複数のトランシーバを含む。図1〜図2の例示的な説明では、メッセージビーコンデバイス110は、各々が、異なる無線アクセス技術(RAT)に関連する3つの異なるトランシーバを含む。しかしながら、本開示の態様は、任意の数のRATに関連する任意の数のトランシーバを有するメッセージビーコンデバイス110内で実装され得ることを理解されよう。
【００１５】
図1では、3つのトランシーバは各々異なる範囲を有する。第1のトランシーバは、第1の範囲112(実線として示される)を有し、第2のトランシーバは第2の範囲114(破線として示される)を有し、第3のトランシーバは第3の範囲116(破線および点線として示される)を有する。各トランシーバのそれぞれの範囲は、たとえば、トランシーバに関連するRAT、トランシーバの送信に関連する電力、ワイヤレス通信環境100のトポグラフィなどを含めて、任意の数の要因に応じ得る。1つの考えられる実装形態では、第1の範囲112を有する第1のトランシーバはBluetooth(登録商標）トランシーバであり、第2の範囲114を有する第2のトランシーバはWiFiトランシーバであり、第3の範囲116を有する第3のトランシーバはLTEトランシーバである。この考えられる実装形態では、第1の範囲112はおよそ10メートル程度であり得、第2の範囲114はおよそ30メートル程度であり得、第3の範囲116はおよそ500メートル程度であり得る。図1の3つのトランシーバの各々は異なる範囲を有するとして示されるが、異なるトランシーバは等しい範囲を有してよいことを理解されよう。
【００１６】
メッセージビーコンデバイス110は、ワイヤレスデバイスとのポイントツーポイントリンク(「P2P」リンク)を利用するように構成される。知られている技法を使用したP2Pリンクが利用され得る。メッセージビーコンデバイス110は、第1のトランシーバ、第2のトランシーバ、および/または第3のトランシーバを使用してP2Pリンクを確立することができる。メッセージビーコンデバイス110が所与のワイヤレスデバイスとのP2Pリンクを利用するために、所与のワイヤレスデバイスは、メッセージビーコンデバイス110内のトランシーバのうちの1つに対応する少なくとも1つのトランシーバを装備していなければならず、やはりそのトランシーバに関連する範囲内になければならない。本明細書で使用されるP2Pという用語は、ポイントツーマルチポイント(P2MP)技法を同様に広く包含する。厳密なユニキャストモードで、リンクは2つの個別のポイント間に確立されるが、マルチキャスト/ブロードキャストモードでは、単一の送信は複数の受信機に到達し得る。その上、「リンク」という用語は、少なくとも1つの方向のワイヤレス通信の可能性を暗示するものにすぎず、選択、発見、または任意の他のプロトコルを暗示する必要はない。
【００１７】
一般に、特定のトランシーバは、所与の時点で1つの送信モード(上述のように、ユニキャスト、マルチキャスト、またはブロードキャスト)を使用して送信することになる。しかしながら、送信モードは、要件または他の要因に基づいて変化し得る。その上、所与のメッセージビーコンデバイス内の各特定のトランシーバは、異なる送信モードで送信することができる。たとえば、第1のトランシーバはユニキャストモードで送信することができるが、第2のトランシーバはマルチキャストモードで送信する。そのような選択および動作は、ソフトウェア機能で実装され得る。ビーコンとスマートフォンなどのデバイスとの間の動作は、異なる製造会社、ベンダー、ビーコンデバイスまたはスマートフォンデバイス内のハイレベルオペレーティングシステム(HLOS)間で、または他の要因に基づいて、互換性があってもまたは互換性がなくてもよい。
【００１８】
メッセージビーコンは、1つまたは複数のパケットからなるが、多くの場合、インターネットプロトコル(IP)に基づかない。非IPプロトコルは、たとえば、Bluetooth(登録商標）またはLTE-Directなど、エアインターフェース固有のプロトコルからなり得る。各メッセージビーコンは、ソースアドレスおよび宛先アドレスを含み、ユニキャスト送信、マルチキャスト送信、およびブロードキャスト送信に対応する複数の宛先アドレスが(1度に1つ)可能であり得る。
【００１９】
ユニキャスト宛先アドレスは、単一のデバイスに一意に関連付けられ、たとえば、IPアドレスである。ブロードキャスト宛先アドレスは、複数のデバイスによって認識され得る、すべての考えられるシングルデバイスアドレスとは異なる、特別または一意のアドレスである。単一のデバイスは、その一意のユニキャストアドレス、ならびに1つまたは複数のブロードキャストアドレスの両方に応答し得る。たとえば、異なるサービスは、特定のブロードキャストアドレスに関連付けられてよい(すなわち、特定のブロードキャストアドレスは、コーヒー関連の広告に関連付けられてよく、別のブロードキャストアドレスはファッション関連の広告に関連付けられる)。マルチキャストアドレスは一意のアドレスであるという意味で、ブロードキャストアドレスと同様であるが、概して、ブロードキャスト送信と比較してより小さいデバイスセットをターゲットとする。
【００２０】
送信制御プロトコル「(TCP)」メッセージは、一意の宛先アドレスを有する単一のデバイス向けであるユニキャストP2Pメッセージの一例である。概して、TCPメッセージの送信機は、宛先デバイスから明示的な肯定応答メッセージ(ACK)を受信する。対照的に、ユーザデータグラムプロトコル「(UDP)」メッセージ(「センドアンドフォゲット」(send and forget)メッセージと呼ばれることがある)はACKを必要としない。概して、マルチキャストP2MPメッセージは、受信側デバイスによって肯定応答されないが(非ACK)、マルチキャストP2MPメッセージはいくつかのシナリオでは肯定応答され得る。そのような場合、肯定応答は、ソフトウェアレイヤ内またはデバイスハードウェア内など、送信レイヤよりも高いプロトコルレイヤにおいて処理され得る。ACKはまた、TCP/IPなど標準化された様式で、または様々なプロプライエタリ様式で処理され得る。ACKビーコン送信機に肯定応答する能力は、したがって、ユニキャストモード動作とブロードキャスト/マルチキャストモード動作の両方において存在し得る。送信、ユニキャストまたはマルチキャスト、および肯定応答(または、非肯定応答)のモードの選択は、標準化されてよく、または製造会社/ベンダー固有であってよい。
【００２１】
ベンダー固有のデバイスまたは製造会社固有のデバイスが特定のビーコンブロードキャストに対して敏感に作られるように、特定のベンダーまたは製造会社は、プロプライエタリ機構を使用して、マルチキャストアドレスを定義することができる。これらのシステムは、したがって、相互運用可能でない場合がある。そのようなマルチキャストドレスを定義することは、ユーザがいくつかのサービスにオプトインするある種のシナリオを含めて、ビーコン送信機が単一のP2MPマルチキャスト内の複数のデバイスに到達する能力を簡素化する。しかしながら、特定のデバイスにターゲットメッセージを送るための能力を含めてなど、いくつかの状況では、個々のデバイスに対するユニキャスト動作が好ましい場合がある。これは、特別の広告、販売節約に関する特別割引などを含み得る。ユニキャスト方法は、多数のデバイスがメッセージビーコンデバイスの範囲内にあるとき困難であり得るが、たとえば、セルタワーまたはアクセスポイントの近傍内のユニキャストに限定することによって、デバイスジオロケーションデータを使用することによって、または他の手段によって、数を切り捨てることができる。
【００２２】
本開示の一態様によれば、メッセージビーコンデバイス110は、メッセージビーコンデバイス110のリーチを最適化するように構成される。たとえば、メッセージビーコンデバイス110は、たとえば、広告、公共サービス情報など、公共情報を提供することができる。メッセージビーコンデバイス110がリーチを最大化する最も簡単な方法は、最高可能送信電力においてすべてのトランシーバ上で最大可能率でメッセージビーコンを送信することである。しかしながら、いくつかのシナリオでは、メッセージビーコンデバイス110におけるリソース消費により、実際的な制約が生じ得る。その上、1つのトランシーバを使用した送信は、別のトランシーバ上の送信との干渉を引き起こす場合があり、これは自己干渉として知られる現象である。いくつかの実装形態では、様々なトランシーバの共存を改善することによって(すなわち、自己干渉またはクロスデバイス干渉を限定することによって)リソースを節約して、リーチを最適化することができる。本開示の一態様によれば、メッセージビーコンデバイス110は、1つまたは複数のトランシーバ上のメッセージビーコンの送信間隔を増大すること、1つまたは複数のトランシーバ上の送信電力を低減すること、または1つまたは複数のトランシーバを単に停止することによって、メッセージビーコンデバイス110のリーチを最適化するように構成される。
【００２３】
図1は、その各々が、範囲112、114、116のうちの1つまたは複数の中にあり、および1つまたは複数の対応するトランシーバを装備する、複数のワイヤレスデバイス120、130、140、150、160を示す。ワイヤレスデバイス120、130、140、150、160の各々はセルフォンとして示されているが、ワイヤレスデバイス120、130、140、150、160は、メッセージビーコンデバイス110とワイヤレス通信が可能である任意のデバイスであってよいことを理解されよう。
【００２４】
図1に示すワイヤレスデバイス120は、メッセージビーコンデバイス110内に含まれた3つの異なるトランシーバに対応する3つの異なるトランシーバを装備する。加えて、ワイヤレスデバイス120はまた、メッセージビーコンデバイス110内に含まれた3つの異なるトランシーバに関連するそれぞれの範囲112、114、116のリーチ内にある。結果として、メッセージビーコンデバイス110内に含まれた3つの異なるトランシーバのうちのいずれかを使用して、メッセージビーコンデバイス110とワイヤレスデバイス120との間にP2Pリンクを確立することができる。上述のように、「P2P」という用語は、P2P技術とP2MP技術の両方を広く包含する。その上、「リンク」という用語は、少なくとも1つの方向のワイヤレス通信の可能性を暗示するものにすぎず、選択、発見、または任意の他のプロトコルを暗示する必要はない。図1は、メッセージビーコンデバイス110とワイヤレスデバイス120との間の第1のP2Pリンク122(実線として示される)、ならびに第2のP2Pリンク124(破線として示される)および第3のP2Pリンク126(破線および点線として示される)を示す。
【００２５】
ワイヤレスデバイス120のように、ワイヤレスデバイス130は、メッセージビーコンデバイス110内に含まれた3つの異なるトランシーバに関連するそれぞれの範囲112、114、116の各々の中にある。しかしながら、ワイヤレスデバイス120と異なり、ワイヤレスデバイス130は2つのトランシーバのみを装備する。結果として、ワイヤレスデバイス120が装備した2つのトランシーバだけを使用して、メッセージビーコンデバイス110とワイヤレスデバイス120との間にP2Pリンクを確立することができる。したがって、図1は、メッセージビーコンデバイス110とワイヤレスデバイス130との間の第1のP2Pリンク132(実線として示される)、ならびに第2のP2Pリンク134(破線として示される)を示す。ワイヤレスデバイス130はメッセージビーコンデバイス110内に含まれた第3のトランシーバの第3の範囲116内にあるが、ワイヤレスデバイス130は対応するトランシーバを装備していないので、第3のトランシーバを使用して何のP2Pリンクも利用することができないことを理解されよう。
【００２６】
図1に示されるワイヤレスデバイス140は、それぞれ、メッセージビーコンデバイス110の第2および第3のトランシーバに関連する第2の範囲114および第3の範囲116内にある。しかしながら、ワイヤレスデバイス140は、第1のトランシーバに関連する第1の範囲112内にはない。結果として、メッセージビーコンデバイス110は、ワイヤレスデバイス140が実際に対応するトランシーバを装備しているかどうかにかかわらず、第1のトランシーバを使用して、メッセージビーコンデバイス110とワイヤレスデバイス140との間のP2Pリンクを利用することができない。しかしながら、図1では、ワイヤレスデバイス140は、第2のトランシーバに対応するトランシーバと第3のトランシーバに対応するトランシーバとを装備する。したがって、図1は、第1のP2Pリンク122、132に類似する第1のP2Pリンクを示さないが、メッセージビーコンデバイス110とワイヤレスデバイス140との間の第2のP2Pリンク144(破線として示される)、ならびに第3のP2Pリンク146(破線および点線として示される)を示す。
【００２７】
ワイヤレスデバイス140のように、ワイヤレスデバイス150は、それぞれ、メッセージビーコンデバイス110の第2および第3のトランシーバに関連する第2の範囲114および第3の範囲116内にある。しかしながら、ワイヤレスデバイス140と異なり、ワイヤレスデバイス150は、メッセージビーコンデバイス110内に含まれた第3のトランシーバに対応するトランシーバを装備していない。結果として、メッセージビーコンデバイス110は、ワイヤレスデバイス150との第2のP2Pリンク154(破線として示される)を利用するために、第2のトランシーバのみを使用することができる。ワイヤレスデバイス150は第1の範囲112内にないので、メッセージビーコンデバイス110は第1のトランシーバを使用して第1のP2Pリンクを利用することができない。その上、ワイヤレスデバイス150は対応するトランシーバを装備していないので、メッセージビーコンデバイス110は、第3のトランシーバを使用して第3のP2Pリンクを利用することができない。
【００２８】
ワイヤレスデバイス160は、それぞれ、メッセージビーコンデバイス110の第1または第2のトランシーバに関連する第1の範囲112および第2の範囲114内にない。しかしながら、ワイヤレスデバイス160は、第3の範囲116内にあり、メッセージビーコンデバイス110内に含まれた第3のトランシーバに対応するトランシーバを装備している。結果として、メッセージビーコンデバイス110は、メッセージビーコンデバイス110とワイヤレスデバイス160との間の第3のP2Pリンク166(破線および点線として示される)を利用することができる。
【００２９】
ワイヤレスデバイス120、130、140、150、160は別様に配置および装備されるので、メッセージビーコンデバイス110は、各特定のトランシーバを使用するコストおよび利益を分析し、メッセージビーコンデバイス110のリーチを最適化することができる。たとえば、上述のように、第3のトランシーバが利用されない限り、ワイヤレスデバイス160に到達することはできない。しかしながら、第3のトランシーバは高いリソース消費率に関連付けられ得る。たとえば、各メッセージビーコンは、第3の範囲116の全体に行き渡るために、高い送信電力を必要とし得る。メッセージビーコンデバイス110が強いおよび/または一定の電源に関連付けられる場合、ワイヤレスデバイス160をカバーするためにリーチを拡大することは、第3のトランシーバを使用した送信を正当化し得る。他方で、メッセージビーコンデバイス110が弱いおよび/または消耗した電源に関連付けられる場合、第3のトランシーバを使用した送信は正当化され得ない。
【００３０】
別の例では、複数の類似するワイヤレスデバイス(図示せず)がワイヤレスデバイス160とクラスタ化される(すなわち、同様に配置および装備される)と仮定する。この場合、メッセージビーコンデバイス110が弱いおよび/または消耗した電源に関連付けられる場合ですら、メッセージビーコンデバイス110は、第3のトランシーバを使用した送信は正当化されると決定することができる。送信は、単に1つのワイヤレスデバイス(すなわち、ワイヤレスデバイス160)ではなく、ワイヤレスデバイスのクラスタに到達するので、第3のトランシーバを使用することによって、メッセージビーコンデバイス110のリーチを最適化することができる(送信に関連する高いリソース消費にもかかわらず)。
【００３１】
さらに別の例では、メッセージビーコンデバイス110が、第3のトランシーバを使用した送信が正当化されるように、強いおよび/または一定の電源に関連付けられると仮定する。しかしながら、メッセージビーコンデバイス110は、第3のトランシーバを使用した送信は第2のトランシーバを使用した送信に干渉すると決定する。結果として、メッセージビーコンデバイス110がリソース消費抑制によって送信を妨げられないにもかかわらず、メッセージビーコンデバイス110は、第3のトランシーバを使用して動作しないと決定することができる。代わりに、第3のP2Pリンク166の利用は第2のP2Pリンク124、134、144、154の利用に干渉するので、メッセージビーコンデバイス110は、第3のトランシーバを使用して動作しないと決定することができる。この例では、ワイヤレスデバイス160に対するメッセージビーコンの送信は、ワイヤレスデバイス150に到達しないことを確実にし、ワイヤレスデバイス120、130、140に対するメッセージビーコンの送信を危険にさらすことになる。したがって、追加のワイヤレスデバイス160が到達可能であり、リソース消費が制約されていないにもかかわらず、第3のトランシーバを使用した送信を拒絶することによって、メッセージビーコンデバイス110のリーチを最適化することができる。
【００３２】
図1から他の可能性を理解することができる。たとえば、ワイヤレスデバイス120、130がワイヤレス通信環境100内の唯一のワイヤレスデバイスであると仮定する。上述のように、第1のトランシーバまたは第2のトランシーバのいずれかを使用して、ワイヤレスデバイス120、130の両方に到達することができる。メッセージビーコンデバイス110が第2のトランシーバは第1のトランシーバよりも大きなリソース消費に関連付けられると決定する場合、メッセージビーコンデバイス110は、第1のトランシーバのみを使用して、メッセージビーコンを送信することができる。他のワイヤレスデバイスが不在である場合、メッセージビーコンデバイス110は、リーチを犠牲にせずにリソース消費を低減することができる。
【００３３】
しかしながら、ワイヤレスデバイス140、150もワイヤレス通信環境100内に含まれていると仮定する。上述のように、第1のトランシーバを使用して、ワイヤレスデバイス140、150に到達することはできない。したがって、メッセージビーコンデバイス110が(前のシナリオにおけるように)第1のトランシーバのみを使用してメッセージビーコンを送信する場合、メッセージビーコンデバイス110はリーチを犠牲にする。第2のトランシーバがより多くのリソースを消費する場合ですら、第2のP2Pリンク144、154を使用して追加のワイヤレスデバイス140、150に到達することができるので、メッセージビーコンデバイス110は、追加のリソース消費は正当化されると決定することができる。その上、メッセージビーコンデバイス110は、第2のトランシーバがやはりワイヤレスデバイス120、130に到達することができると決定することもできる。したがって、メッセージビーコンデバイス110は第1のトランシーバを使用して送信することを拒絶することができるが、これは、そうすることが第2のトランシーバによってまだ到達されていない追加のワイヤレスデバイスに到達することにならないからである。
【００３４】
図1は、例示のために、特定の方法で装置および配置されている5つのワイヤレスデバイスを示すことを理解されよう。ワイヤレス通信環境100は、各々が任意の方法で配置および装置されている、任意の数のワイヤレスデバイスを含み得ることを理解されよう。メッセージビーコンデバイス110は、所与の方法でそれぞれのトランシーバを使用するコストおよび利益を決定することによって、リーチを最適化するように構成される。コストは、リソース消費を含んでよく、利益はリーチを含んでよい。自己干渉は、リソース消費を増大させること、および/またはメッセージビーコンデバイス110のリーチを低減させることが可能である。したがって、メッセージビーコンデバイス110は、メッセージビーコンデバイス110のリーチ全体を最適化するとき、リソース可用性、トランシーバ間の干渉、および各トランシーバの個々のリーチを分析することができる。
【００３５】
図2は、本開示の一態様によるメッセージビーコンシステム200を示す。メッセージビーコンシステム200は、メッセージビーコンデバイス210およびワイヤレスデバイス260を含む。メッセージビーコンデバイス210は、たとえば、図1のメッセージビーコンデバイス110と類似していてよい。ワイヤレスデバイス260は、たとえば、図1のワイヤレスデバイス120、130、140、150、160のうちのいずれかと類似していてよい。
【００３６】
図2の例では、メッセージビーコンデバイス210およびワイヤレスデバイス260は各々、一般に、少なくとも1つの指定されたRATを介して他のネットワークノードと通信するための(通信デバイス220および270によって表される)ワイヤレス通信デバイスを含む。通信デバイス220および270は、指定されたRATに従って、信号(たとえば、メッセージ、表示、情報など)を送信および符号化するように、また逆に、信号(たとえば、メッセージ、表示、情報、パイロットなど)を受信および復号するように様々に構成され得る。メッセージビーコンデバイス210およびワイヤレスデバイス260はまた、それぞれ一般に、それらのそれぞれの通信デバイス220および270の動作を制御する(たとえば、指示する、変更する、有効化する、無効化する、など)ための(通信コントローラ230および280によって表される)通信コントローラを含むことができる。通信コントローラ230および280は、(処理システム240および290、メモリ構成要素242および292、ならびに電源244および294として示される)それぞれのホストシステム機能の指示により、またはさもなければそれぞれのホストシステム機能とともに、動作する場合がある。いくつかの設計では、通信コントローラ230および280は、それぞれのホストシステム機能によって部分的にまたは完全に包含され得る。
【００３７】
示された通信をより詳細に見ると、ワイヤレスデバイス260は、ワイヤレスリンク250を介して、メッセージビーコンデバイス210とメッセージの送信および受信を行う場合があり、メッセージは様々なタイプの通信に関する情報(たとえば、音声、データ、マルチメディアサービス、関連する制御シグナリングなど)を含む。ワイヤレスリンク250は、メッセージビーコンデバイス210およびワイヤレスデバイス260などの、1つまたは複数の送信機/受信機ペアの間の通信に関連する(たとえば、1つまたは複数のキャリアにわたる1つまたは複数のチャネルを網羅する)1つまたは複数の周波数リソース、時間リソース、および/または空間通信リソースから成る、当該通信媒体を介して動作し得る。
【００３８】
特定の例として、通信媒体は、他のRATと共有される無認可周波数帯域の少なくとも一部に対応し得る。一般に、メッセージビーコンデバイス210およびワイヤレスデバイス260は、それらが展開されるネットワークに応じて1つまたは複数のRATに従って、ワイヤレスリンク250を介して動作することができる。これらのネットワークは、たとえば、符号分割多元接続(CDMA)ネットワーク、時分割多元接続(TDMA)ネットワーク、周波数分割多元接続(FDMA)ネットワーク、直交FDMA(OFDMA)ネットワーク、シングルキャリアFDMA(SC-FDMA)ネットワークなどの様々な変形形態を含む場合がある。様々な認可された周波数帯域が(たとえば、米国の連邦通信委員会(FCC)などの政府機関によって)そのような通信のために確保されているが、いくつかの通信ネットワーク、特にスモールセルアクセスポイントを採用している通信ネットワークは、ワイヤレスローカルエリアネットワーク(WLAN)技術、たとえば、「Wi-Fi」と一般に呼ばれるIEEE 802.11 WLAN技術によって使用される無許可全米情報基盤(U-NII:Unlicensed National Information Infrastructure)帯域のような無認可周波数帯域へと動作を拡張させている。
【００３９】
図2の例では、メッセージビーコンデバイス210の通信デバイス220は、第1のトランシーバ222、第2のトランシーバ224、および第3のトランシーバ226を含めて、それぞれのRATに従って動作する3つのコロケートされたトランシーバを含む。本明細書で使用する「トランシーバ」は、送信機回路、受信機回路、またはそれらの組合せを含む場合があるが、すべての設計において送信と受信の両方の機能を提供する必要はない。たとえば、いくつかの設計において、完全な通信を提供することが必要とされないときに、コストを低減するために低機能受信機回路が採用され得る(たとえば、WiFiチップまたは単に低レベルスニッフィングを提供する同様の回路)。さらに、本明細書で使用する「コロケートされた」(たとえば、無線装置、アクセスポイント、トランシーバなど)という用語は、様々な構成のうちの1つを指す場合がある。たとえば、同じハウジング内にある構成要素、同じプロセッサによってホストされる構成要素、互いの規定された距離内にある構成要素、および/または任意の要求される構成要素間通信(たとえば、メッセージング)の待ち時間要件を満たすインターフェース(たとえば、イーサネット（登録商標）スイッチ)を介して接続される構成要素である。トランシーバ222、224、226は、無線アクセス技術(RAT)、プロプライエタリ機構(ベンダー、製造会社など)、または任意の他の特性の点で互いとは異なり得る。3つのトランシーバのみが示されているが、通信デバイス220は任意の数のトランシーバを装備し得ることを理解されよう。
【００４０】
第1のトランシーバ222、第2のトランシーバ224、および第3のトランシーバ226は、異なる機能を提供することができ、異なる目的に使用され得る。一例として、第1のトランシーバ222は、ワイヤレスリンク250上でワイヤレスデバイス260との通信を提供するためにBluetooth(登録商標）技術に従って動作することができ、第2のトランシーバ224は、ワイヤレスリンク250上でワイヤレスデバイス260との通信を提供するためにWiFi技術に従って動作することができ、第3のトランシーバ226は、ワイヤレスリンク250上でワイヤレスデバイス260との通信を提供するためにロングタームエボリューション(LTE)技術に従って動作することができる。追加または代替として、トランシーバ222、224、226のうちの1つまたは複数は、製造会社固有のプロトコルまたはベンダー固有のプロトコル(たとえば、プロプライエタリアプリケーションプロトコル)を利用することができる。ワイヤレスデバイス260の通信デバイス270は、1つまたは複数の対応するトランシーバをオプションで含み得る。たとえば、通信デバイス270は、ワイヤレスリンク250上でBluetooth(登録商標）技術に従って動作している第1のトランシーバ272、ワイヤレスリンク250上でWiFi技術に従って動作している第2のトランシーバ274、および/またはワイヤレスリンク250上でロングタームエボリューション(LTE)技術に従って動作している第3のトランシーバ276を含み得る。追加または代替として、トランシーバ272、274、276のうちの1つまたは複数は、製造会社固有のプロトコルまたはベンダー固有のプロトコル(たとえば、プロプライエタリアプリケーションプロトコル)を利用することができる。
【００４１】
メッセージビーコンデバイス210の通信コントローラ230は、ワイヤレスリンク250上での動作を管理するために、第1のトランシーバ222、第2のトランシーバ224、および/または第3のトランシーバ226とともに動作し得るトランシーバ分析器232、送信セット選択器234、およびメッセージビーコン選択器236を含み得る。
【００４２】
トランシーバ分析器232は、メッセージビーコンデバイス210に関連する各トランシーバ、たとえば、第1のトランシーバ222、第2のトランシーバ224、および/または第3のトランシーバ226を分析する。例として下記で説明するように、トランシーバ分析器232によって実行される分析は、各トランシーバに関連するリソース消費、各トランシーバの動作に関連する干渉、および/または各トランシーバのリーチに基づき得る。
【００４３】
送信セット選択器234は、メッセージビーコンを送信するために、第1のトランシーバ222、第2のトランシーバ224、および/または第3のトランシーバ226を選択する。送信セット選択器234は、各選択されたトランシーバの送信特性を選択することもできる。例として下記で説明するように、送信セット選択器234は、トランシーバ分析器232によって実行された分析に基づいて、メッセージビーコンの送信のために特定のトランシーバを選択してよく、または選択しなくてもよい。
【００４４】
メッセージビーコン選択器236は、送信セット選択器234によって選択された送信セット内の各トランシーバにメッセージビーコンを提供する。具体的には、メッセージビーコン選択器236は、どのトランシーバまたはトランシーバのセットが選択されているかを決定し、各選択されたトランシーバに適切なメッセージビーコン(たとえば、適切にフォーマットまたは符号化されたメッセージビーコン)を提供することになる。いくつかの実装形態では、同じメッセージビーコンがすべてのトランシーバに提供される。いくつかの実装形態では、メッセージビーコンは、メッセージビーコンを送信するために使用されるワイヤレスプロトコルおよび/またはアプリケーションプロトコル、または選択されたトランシーバを使用した送信の結果としてメッセージビーコンを受信する可能性が高いワイヤレスデバイスに適合される。
【００４５】
図3は、本開示の様々な態様によるワイヤレスデバイスの例を示す。図3を参照すると、ワイヤレスデバイス300Aは呼出し電話として示され、ワイヤレスデバイス300Bはタッチスクリーンデバイス(たとえば、スマートフォン、タブレットコンピュータなど)として示されている。図3に示すように、ワイヤレスデバイス300Aの外部ケーシングは、当技術分野において知られているように、数ある構成要素の中でも、アンテナ305A、ディスプレイ310A、少なくとも1つのボタン315A(たとえば、PTTボタン、電源ボタン、音量調節ボタンなど)、およびキーパッド320Aによって構成される。また、ワイヤレスデバイス300Bの外部ケーシングは、当技術分野において知られているように、数ある構成要素の中でも、タッチスクリーンディスプレイ305B、周辺ボタン310B、315B、320B、および325B(たとえば、電力制御ボタン、音量または振動調節ボタン、機内モードトグルボタンなど)、少なくとも1つのフロントパネルボタン330B(たとえば、Homeボタンなど)によって構成される。ワイヤレスデバイス300Aおよびワイヤレスデバイス300Bの各々は、ワイヤレスデバイス300Aまたはワイヤレスデバイス300Bのユーザがデバイスと対話するための1つまたは複数のユーザインターフェース構成要素、たとえば、ボタン315A、タッチスクリーンディスプレイ305Bなどを含む。ワイヤレスデバイス300Aまたはワイヤレスデバイス300Bのユーザは、ユーザインターフェース構成要素のうちの1つまたは複数を介してデバイスに入力または命令を与えることができ、デバイスは、ユーザインターフェース構成要素のうちの1つまたは複数を介してユーザに出力または通知を与えることができる。ワイヤレスデバイス300Bの一部として明示的に示されてはいないが、ワイヤレスデバイス300Bは、限定はしないが、WiFiアンテナ、セルラーアンテナ、衛星位置システム(SPS)アンテナ(たとえば、全地球測位システム(GPS)アンテナ)などを含む、1つまたは複数の外部アンテナおよび/またはワイヤレスデバイス300Bの外部ケーシングに内蔵される1つのまたは複数の内蔵アンテナを含むことができる。
【００４６】
ワイヤレスデバイス300Aおよびワイヤレスデバイス300Bなどのワイヤレスデバイスの内部構成要素は異なるハードウェア構成によって具現化することができるが、内部ハードウェア構成要素のための基本的なハイレベルワイヤレスデバイス構成は図3にプラットフォーム302として示されている。プラットフォーム302は、無線アクセスネットワーク、インターネット、および/またはリモートサーバおよびネットワークから送信されたソフトウェアアプリケーション、データ、および/またはコマンドを受信および実行することができる。プラットフォーム302は、ローカルに記憶されたアプリケーションをRAN対話なしに独立して実行することもできる。プラットフォーム302は、特定用途向け集積回路(ASIC)308または他のプロセッサ、マイクロプロセッサ、論理回路、または他のデータ処理デバイスに動作可能に結合されたトランシーバ306を含み得る。ASIC308または他のプロセッサは、ワイヤレスデバイスのメモリ312内の任意の常駐プログラムとインターフェースするアプリケーションプログラミングインターフェース(API)310レイヤを実行する。メモリ312は、読取り専用メモリまたはランダムアクセスメモリ(RAMおよびROM)、EEPROM、フラッシュカード、またはコンピュータプラットフォームに共通する任意のメモリから構成することができる。プラットフォーム302は、メモリ312中でアクティブに使用されないアプリケーション、ならびに他のデータを記憶することができるローカルデータベース314も含むことができる。ローカルデータベース314は、一般的にフラッシュメモリセルであるが、磁気媒体、EEPROM、光学媒体、テープ、ソフトまたはハードディスクなどの、当技術分野で知られている任意の二次記憶デバイスであってもよい。
【００４７】
したがって、本発明の実施形態は、本明細書で説明する機能を実行する能力を含むワイヤレスデバイス(たとえば、ワイヤレスデバイス300A、300Bなど)を含むことができる。当業者が諒解するように、様々な論理要素は、本明細書で開示する機能を実現するために、個別の要素、プロセッサ上で実行されるソフトウェアモジュール、またはソフトウェアとハードウェアの任意の組合せにおいて具現化することができる。たとえば、ASIC308、メモリ312、API310およびローカルデータベース314をすべて協働的に使用して、本明細書で開示する様々な機能をロードし、記憶し、実行してもよく、したがって、これらの機能を実行するための論理が様々な要素に分散されてもよい。代替として、機能は1つの個別構成要素に組み込むことができる。したがって、図3のワイヤレスデバイス300Aおよび300Bの特徴は、例示的なものにすぎないと見なすべきであり、本発明は図示の特徴または構成に限定されない。
【００４８】
ワイヤレスデバイス300Aおよび/または300Bと他のデバイスとの間のワイヤレス通信は、CDMA、W-CDMA、時分割多元接続(TDMA)、周波数分割多元接続(FDMA)、直交周波数分割多重(OFDM)、GSM（登録商標）、またはワイヤレス通信ネットワークまたはデータ通信ネットワークにおいて使用される場合がある他のプロトコルのような、様々な技術に基づくことが可能である。前述のように、および当技術分野で知られているように、様々なネットワークおよび構成を使用して、音声送信および/またはデータを無線アクセスネットワークからワイヤレスデバイスに送信することができる。したがって、本明細書で提示する例示は、本発明の実施形態を限定するものではなく、単に本発明の実施形態の態様の説明を助けるためのものにすぎない。
【００４９】
図4は、機能を実行するように構成された論理を含む通信デバイス400を示す。通信デバイス400は、メッセージビーコンデバイス110、ワイヤレスデバイス120、130、140、150、160、メッセージビーコンデバイス210、ワイヤレスデバイス260、ワイヤレスデバイス300Aまたは300Bなどを含むが、これらに限定されない、上述の通信デバイスのうちのいずれかに対応し得る。
【００５０】
図4を参照すると、通信デバイス400は、情報を受信および/または送信するように構成された論理405を含む。一例では、通信デバイス400がワイヤレス通信デバイスに対応する場合、情報を受信および/または送信するように構成された論理405は、ワイヤレストランシーバおよび関連ハードウェア(たとえば、RFアンテナ、モデム、変調器および/または復調器など)などのワイヤレス通信インターフェース(たとえば、Bluetooth(登録商標）、WiFi、2G、CDMA、W-CDMA、3G、4G、LTEなど)を含むことができる。別の例では、情報を受信および/または送信するように構成された論理405は、有線通信インターフェース(たとえば、シリアル接続、USBまたはFirewire接続、それを通じてインターネットにアクセスできるイーサネット（登録商標）接続など)に対応し得る。したがって、通信デバイス400が、何らかのタイプのネットワークベースのサーバ(たとえば、PDSN、SGSN、GGSN、S-GW、P-GW、MME、HSS、PCRF、アプリケーションなど)に対応する場合、情報を受信および/または送信するように構成された論理405は、一例では、イーサネット（登録商標）プロトコルを介してネットワークベースのサーバを他の通信エンティティに接続するイーサネット（登録商標）カードに対応することができる。さらなる例では、情報を受信および/または送信するように構成された論理405は、通信デバイス400がそのローカル環境を監視する手段となり得る感知または測定ハードウェア(たとえば、加速度計、温度センサ、音センサ(マイクロフォン)、光センサ、赤外線センサ、ローカルRF信号を監視するためのアンテナなど)を含むことができる。情報を受信および/または送信するように構成された論理405はまた、実行されると、情報を受信および/または送信するように構成された論理405の関連ハードウェアがその受信および/または送信機能を実行できるようにする、ソフトウェアも含むことができる。しかしながら、情報を受信および/または送信するように構成された論理405は、ソフトウェアだけに対応するのではなく、情報を受信および/または送信するように構成された論理405は、その機能を実現するためのハードウェアに少なくとも部分的に依拠する。
【００５１】
図4を参照すると、通信デバイス400は、情報を処理するように構成された論理410をさらに含む。一例では、情報を処理するように構成された論理410は、少なくともプロセッサを含むことができる。情報を処理するように構成された論理410によって実行され得るタイプの処理の例示的な実装態様は、限定はしないが、判断を行うこと、接続を確立すること、異なる情報オプション間で選択を行うこと、データに関係する評価を行うこと、測定演算を実行するために通信デバイス400に結合されたセンサとやりとりすること、情報をあるフォーマットから別のフォーマットに(たとえば、.wmvから.aviへなど、異なるプロトコル間で)変換することなどを含む。たとえば、情報を処理するように構成された論理410内に含まれるプロセッサは、汎用プロセッサ、デジタルシグナルプロセッサ(DSP)、ASIC、フィールドプログラマブルゲートアレイ(FPGA)または他のプログラマブル論理デバイス、個別ゲートまたはトランジスタ論理、個別ハードウェア構成要素、または本明細書において説明される機能を実行するように設計されたそれらの任意の組合せに対応することができる。汎用プロセッサは、マイクロプロセッサであってもよいが、代替として、このプロセッサは、任意の従来のプロセッサ、コントローラ、マイクロコントローラ、またはステートマシンであってもよい。プロセッサはまた、コンピューティングデバイスの組合せ、たとえば、DSPおよびマイクロプロセッサの組合せ、複数のマイクロプロセッサ、DSPコアと連携した1つまたは複数のマイクロプロセッサ、または任意の他のそのような構成として実装されてもよい。情報を処理するように構成された論理410はまた、実行されると、情報を処理するように構成された論理410の関連ハードウェアがその処理機能を実行できるようにする、ソフトウェアも含むことができる。しかしながら、情報を処理するように構成された論理410は、ソフトウェアだけに対応するのではなく、情報を処理するように構成された論理410は、その機能を実現するためのハードウェアに少なくとも部分的に依拠する。
【００５２】
図4を参照すると、通信デバイス400は、情報を記憶するように構成された論理415をさらに含む。一例では、情報を記憶するように構成された論理415は、少なくとも非一時的メモリおよび関連ハードウェア(たとえば、メモリコントローラなど)を含むことができる。たとえば、情報を記憶するように構成された論理415内に含まれる非一時的メモリは、RAMメモリ、フラッシュメモリ、ROMメモリ、EPROMメモリ、EEPROMメモリ、レジスタ、ハードディスク、リムーバブルディスク、CD-ROM、または当技術分野で知られている任意の他の形の記憶媒体に対応することができる。情報を記憶するように構成された論理415はまた、実行されると、情報を記憶するように構成された論理415の関連ハードウェアがその記憶機能を実行できるようにする、ソフトウェアも含むことができる。しかしながら、情報を記憶するように構成された論理415は、ソフトウェアだけに対応するのではなく、情報を記憶するように構成された論理415は、その機能を実現するためのハードウェアに少なくとも部分的に依拠する。
【００５３】
図4を参照すると、通信デバイス400は、オプションで、情報を提示するように構成された論理420をさらに含む。一例では、情報を提示するように構成された論理420は、少なくとも出力デバイスおよび関連ハードウェアを含むことができる。たとえば、出力デバイスは、ビデオ出力デバイス(たとえば、ディスプレイスクリーン、USB、HDMI（登録商標）のようなビデオ情報を搬送することができるポートなど)、オーディオ出力デバイス(たとえば、スピーカー、マイクロフォンジャック、USB、HDMI（登録商標）のようなオーディオ情報を搬送することができるポートなど)、振動デバイス、および/または、情報がそれによって出力のためにフォーマットされ得る、または通信デバイス400のユーザまたはオペレータによって実際に出力され得る任意の他のデバイスを含むことができる。たとえば、通信デバイス400が図3に示すようなワイヤレスデバイス300Aまたはワイヤレスデバイス300Bに対応する場合、情報を提示するように構成された論理420は、ワイヤレスデバイス300Aのディスプレイ310Aまたはワイヤレスデバイス300Bのタッチスクリーンディスプレイ305Bを含むことができる。さらなる例では、情報を提示するように構成された論理420は、(たとえば、ネットワークスイッチ、またはルータ、リモートサーバなど)ローカルユーザを有しないネットワーク通信デバイスのようないくつかの通信デバイスでは省略されることがある。情報を提示するように構成された論理420はまた、実行されると、情報を提示するように構成された論理420の関連ハードウェアがその提示機能を実行できるようにする、ソフトウェアも含むことができる。しかしながら、情報を提示するように構成された論理420は、ソフトウェアだけに対応するのではなく、情報を提示するように構成された論理420は、その機能を実現するためのハードウェアに少なくとも部分的に依拠する。
【００５４】
図4を参照すると、通信デバイス400は、オプションで、ローカルユーザ入力を受信するように構成された論理425をさらに含む。一例では、ローカルユーザ入力を受信するように構成された論理425は、少なくともユーザ入力デバイスおよび関連ハードウェアを含むことができる。たとえば、ユーザ入力デバイスは、ボタン、タッチスクリーンディスプレイ、キーボード、カメラ、オーディオ入力デバイス(たとえば、マイクロフォン、またはマイクロフォンジャックなど、オーディオ情報を搬送することができるポートなど)、および/または情報がそれによって通信デバイス400のユーザまたはオペレータから受信され得る任意の他のデバイスを含むことができる。たとえば、通信デバイス400が図3に示すようなワイヤレスデバイス300Aまたはワイヤレスデバイス300Bに対応する場合、ローカルユーザ入力を受信するように構成された論理425は、キーパッド320A、ボタン315Aまたは310Bから325Bのうちのいずれか、タッチスクリーンディスプレイ305Bなどを含むことができる。さらなる例では、ローカルユーザ入力を受信するように構成された論理425は、(たとえば、ネットワークスイッチ、またはルータ、リモートサーバなど)ローカルユーザを有しないネットワーク通信デバイスのようないくつかの通信デバイスでは省略されることがある。ローカルユーザ入力を受信するように構成された論理425はまた、実行されると、ローカルユーザ入力を受信するように構成された論理425の関連ハードウェアがその入力受信機能を実行できるようにする、ソフトウェアも含むことができる。しかしながら、ローカルユーザ入力を受信するように構成された論理425は、ソフトウェアだけに対応するのではなく、ローカルユーザ入力を受信するように構成された論理425は、その機能を実現するためのハードウェアに少なくとも部分的に依拠する。
【００５５】
図4を参照すると、405〜425の構成された論理は、図4では別個のまたは相異なるブロックとして示されているが、それぞれの構成された論理がその機能を実行するためのハードウェアおよび/またはソフトウェアは、部分的に重複できることが諒解されよう。たとえば、405〜425の構成された論理の機能を容易にするために使用されるいずれのソフトウェアも、情報を記憶するように構成された論理415に関連する非一時的メモリ内に記憶することができ、そうすることによって、405〜425の構成された論理はそれぞれ、その機能(すなわち、この場合、ソフトウェア実行)を、情報を記憶するように構成された論理415によって記憶されたソフトウェアの動作に部分的に基づいて実行する。同様に、構成された論理のうちの1つに直接関連付けられたハードウェアは、場合によっては、他の構成された論理によって借用または使用することができる。たとえば、情報を処理するように構成された論理410のプロセッサは、データを、情報を受信および/または送信するように構成された論理405によって送信される前に、適切な形式にフォーマットすることができるので、情報を受信および/または送信するように構成された論理405は、その機能(すなわち、この場合、データの送信)を、情報を処理するように構成された論理410に関連付けられたハードウェア(すなわち、プロセッサ)の動作に部分的に基づいて実行する。
【００５６】
概して、別段に明示的に記載されていない限り、本開示全体にわたって使用される「ように構成された論理」という句は、ハードウェアを用いて少なくとも部分的に実装される実施形態を引き合いに出すものとし、ハードウェアから独立したソフトウェアのみの実装形態に対応付けるものではない。また、様々なブロックにおける構成された論理または「ように構成された論理」は、特定の論理ゲートまたは論理要素に限定されるのではなく、概して、本明細書で説明する機能を(ハードウェアまたはハードウェアとソフトウェアの組合せのいずれかを介して)実行するための能力を指すことが諒解されよう。したがって、様々なブロックに示す構成された論理または「ように構成された論理」は、「論理」という語を共有しているにもかかわらず、必ずしも論理ゲートまたは論理要素として実装されるとは限らない。様々なブロックにおける論理間の他の対話または協働が、以下でより詳細に説明する実施形態の検討から、当業者には明らかになるであろう。
【００５７】
図5は、本開示の一態様による、メッセージビーコンデバイスのリーチを最適化するための方法500を大まかに示す。方法500は、たとえば、図1のメッセージビーコンデバイス110または図2のメッセージビーコンデバイス210によって実行され得る。例示のために、方法500は、図2のメッセージビーコンデバイス210によって実行されることになるとしてさらに詳細に説明される。
【００５８】
510において、メッセージビーコンデバイス210は、メッセージビーコンデバイス210に関連する複数のトランシーバを特定する。複数のトランシーバは、たとえば、メッセージビーコンデバイス210の通信デバイス220内に含まれた、第1のトランシーバ222、第2のトランシーバ224、および第3のトランシーバ226を含み得る。この例では、メッセージビーコンデバイス210は、3つのトランシーバの各々を特定することになる。しかしながら、上述のように、メッセージビーコンデバイス210は、その各々が方法500に従って510において特定されることになる、任意の数のRATに従って動作している任意の数のトランシーバを装備し得る。
【００５９】
520において、メッセージビーコンデバイス210は、510において特定されたトランシーバの各々を分析する。520における分析は、たとえば、特定されたトランシーバに関連するリソース消費に基づく分析を含み得る。追加または代替として、520における分析は、たとえば、特定されたトランシーバに関連する干渉に基づく分析を含み得る。干渉は、たとえば、特定されたトランシーバのうちの別のトランシーバとの自己干渉であり得る。追加または代替として、520における分析は、たとえば、特定されたトランシーバに関連するリーチに基づく分析を含み得る。
【００６０】
530において、メッセージビーコンデバイス210は、520において実行された分析に基づいて、510において特定された複数のトランシーバから送信セットを選択する。530における選択は、メッセージビーコンデバイス210のリーチの最適化を対象とし得る。たとえば、メッセージビーコンデバイス210は、送信セット内に所与のトランシーバを含めることができるが、これは、メッセージビーコンデバイス210は、その所与のトランシーバ上で送信する利益がその所与のトランシーバ上で送信するコストを上回ると決定するからである。利益は、(520において実行された分析によって決定された)所与のトランシーバ上の送信によって到達された追加のワイヤレスデバイスの数量またはその特性に関連してよく、コストは、(520において実行された分析によって決定された)所与のトランシーバ上の送信に関連するリソース消費に関連してよい。(520において実行された分析によって決定された)別のトランシーバとの干渉の量は、所与のトランシーバ上で送信するコストまたは利益のいずれかに影響を及ぼし得る。同様に、メッセージビーコンデバイス210は、送信セットから所与のトランシーバを除外し得るが、これは、メッセージビーコンデバイス210は、その所与のトランシーバ上で送信する利益がその所与のトランシーバ上で送信するコストを上回らないと決定するからである。
【００６１】
540において、メッセージビーコンデバイス210は、選択された送信セット内の各トランシーバを使用して、メッセージビーコンを送信する。上述のように、複数のトランシーバは、第1のトランシーバ222、第2のトランシーバ224、および第3のトランシーバ226を含み得る。これらのトランシーバのうちのいずれかまたはすべては、530において選択された送信セット内に含まれてよく、またはそこから除外されてもよい。送信セットからの特定のトランシーバを含めること、または除外することによって、メッセージビーコン210のリーチを最適化することができる。
【００６２】
図6は、本開示の別の態様による、メッセージビーコンデバイスのリーチを最適化するための方法600を大まかに示す。方法600は、たとえば、図1のメッセージビーコンデバイス110または図2のメッセージビーコンデバイス210によって実行され得る。例示のために、方法600は、図2のメッセージビーコンデバイス210によって実行されることになるとしてさらに詳細に説明される。
【００６３】
610において、メッセージビーコンデバイス210は、メッセージビーコンデバイス210に関連する複数のトランシーバを特定する。610における特定は、510における特定に類似していてよい。1つの考えられるシナリオでは、通信デバイス220内に含まれたすべてのトランシーバが特定される。たとえば、通信デバイス220内に含まれたトランシーバのリストをメモリ構成要素242内に記憶し、610において通信コントローラ230によって取り出すことができる。追加または代替として、通信デバイス220または通信コントローラ230は、メッセージビーコンの送信のために現在利用可能である(たとえば、通常に動作している)トランシーバを特定することができる。
【００６４】
620において、メッセージビーコンデバイス210は、610において特定された複数のトランシーバから単一のトランシーバを選択する。下記でより詳細に説明するように、方法600は、(630において)リソース消費、(640において)他のトランシーバとの干渉、および(650において)リーチに基づいて、選択されたトランシーバを分析することに進むであろう。次いで(660において)、方法600は、オプションで、たとえば、610において特定された複数のトランシーバの各々のトランシーバが選択されるまで、620に巡回して戻ることになる。620の各反復において、メッセージビーコンデバイス210は、前の反復中にまだ選択および分析されていないトランシーバを選択することになることを理解されよう。
【００６５】
630において、メッセージビーコンデバイス210は、リソース消費に基づいて、選択されたトランシーバを分析する。630のリソース消費分析は、たとえば、メッセージビーコンデバイス210が装備する電源のタイプ(一定、消耗、一次、補助など)、電源に関連する電力消費率(高い電力消費率、低い電力消費率など)、メッセージビーコンを送信するための送信間隔または送信電力(ミリワット毎秒、メッセージビーコン当たりミリワット、メッセージビーコン毎秒などを使用して分析された高いメッセージビーコン送信間隔、低いメッセージビーコン送信間隔など)、および/または選択可能な送信間隔または送信電力の範囲に関連し得る。分析は、たとえば、本開示の他の場所で説明する図7の方法700に従って実行され得る。
【００６６】
640において、メッセージビーコンデバイス210は、干渉に基づいて、選択されたトランシーバを分析する。640の干渉分析は、たとえば、他の特定されたトランシーバに対する選択されたトランシーバの動作の実際のまたは推定される影響に関連し得る。推定は任意の適切な方法で実行され得る。分析は、たとえば、本開示の他の場所で説明する図8の方法800に従って実行され得る。
【００６７】
650において、メッセージビーコンデバイス210は、リーチに基づいて、選択されたトランシーバを分析する。640の干渉分析は、たとえば、トランシーバが、選択された場合、P2Pリンク(たとえば、P2Pリンク122、124、126、132など)を利用することが可能になるワイヤレスデバイスの数に関連し得る。追加または代替として、640の干渉分析は、トランシーバが、選択された場合、P2Pリンクを利用することが可能になる追加のワイヤレスデバイス(たとえば、P2Pリンクがまだ利用されていない追加のワイヤレスデバイス、および/または、他の特定されたトランシーバのうちのいずれかを使用して到達することができない追加のワイヤレスデバイス)の数に関連し得る。分析は、たとえば、本開示の他の場所で説明する図9の方法900に従って実行され得る。
【００６８】
図6の630のリソース消費分析、干渉分析640、およびリーチ分析650は特定の順序で示されているが、これらは任意の順序で実行され得ることを理解されよう。追加または代替として、630のリソース消費分析、干渉分析640、およびリーチ分析650のうちのいずれかは同時に実行され得る。
【００６９】
660において、メッセージビーコンデバイス210は、620における分析のための異なるトランシーバをループバックし、選択するかどうかを決定する。(図6に示す)1つの考えられる実装形態では、メッセージビーコンデバイス210は、610において特定されたトランシーバの各々を分析するように構成される。この実装形態では、方法600は、特定されたトランシーバの各々が分析されるまでループバックする。メッセージビーコンデバイス210が追加の分析は不要であると決定すると、方法600は670に進む。
【００７０】
670において、メッセージビーコンデバイス210は、610において特定された複数のトランシーバから送信セットを選択する。選択されたトランシーバは、630のリソース消費分析、干渉分析640、および/または650のリーチ分析に基づいて選択され得る。1つの考えられる実装形態では、各トランシーバは、そのトランシーバに関して実行された分析に基づいて、送信セットに関して選択されるか、または選択されない。別の可能な実装形態では、トランシーバのセットは、分析されたトランシーバのすべての全体的な分析に基づいて、送信セットに関して選択される。
【００７１】
たとえば、トランシーバは、リソース消費インジケータが第1のリソース消費しきい値未満であるとの決定に応じて、選択された送信セット内に含まれてよく、またはリソース消費インジケータが第2のリソース消費しきい値よりも大きいとの決定に応じて、選択された送信セットから除外されてもよい。別の例では、トランシーバは、干渉インジケータが第1の干渉しきい値未満であるとの決定に応じて、選択された送信セット内に含まれてよく、または干渉インジケータが第2の干渉しきい値よりも大きいとの決定に応じて、選択された送信セットから除外されてもよい。さらに別の例として、トランシーバは、リーチインジケータが第1のリーチしきい値よりも大きいとの決定に応じて、選択された送信セット内に含まれてよく、またはリーチインジケータが第2のリーチしきい値未満であるとの決定に応じて、選択された送信セットから除外されてもよい。
【００７２】
680において、メッセージビーコンデバイス210は、送信セットに関して選択されたトランシーバのうちの1つまたは複数に関する送信特性を選択する。送信特性は、たとえば、メッセージビーコンの送信電力、メッセージビーコンの送信間隔、メッセージビーコンのタイミング、トランシーバが動作する周波数または周波数のセットなどを含み得る。送信特性は、630のリソース消費分析、干渉分析640、および/または650のリーチ分析に基づいて選択され得る。1つの考えられる実装形態では、所与のトランシーバに関する送信特性は、そのトランシーバに関して実行された分析に基づいて選択される。別の可能な実装形態では、所与のトランシーバに関する送信特性は、分析されたトランシーバのすべての分析に基づいて選択される。
【００７３】
いくつかの実装形態では、670における送信セット選択および680における送信特性選択は、相互依存であり得る。たとえば、所与のトランシーバが送信特性の一定のセットに従って動作する場合、その所与のトランシーバは、別のトランシーバと容認できない干渉を引き起こすが、所与のトランシーバが送信特性の異なるセット(低い送信電力、異なる周波数など)に従って動作する場合、その所与のトランシーバは容認できない干渉を生み出すことにならないと仮定する。この例では、トランシーバは送信セット内に含まれることになるが、トランシーバの送信特性は(実際のまたは推定の)干渉が低レベルに設定されるように設定され得る。
【００７４】
いくつかの実装形態では、たとえば、メッセージビーコンデバイス210のローカルメモリ(たとえば、メモリ構成要素242)からベースライン(デフォルト)送信特性に関するデータを単に取り出すことによって送信特性が選択される。追加または代替として、メッセージビーコンデバイス210は、必要に応じて、送信特性を調整することができる。
【００７５】
690において、メッセージビーコンデバイス210は、670において選択された送信セットと680において選択された送信特性とを使用して、メッセージビーコンを送信する。方法600を実行することによって、メッセージビーコンデバイス210は、メッセージビーコンデバイス210のリーチを最適化する。したがって、メッセージビーコンデバイス210は、自己干渉の可能性を明らかにすると同時に、リソース消費とリーチとの間の適切なバランスをとる。方法600は、たとえば、連続的に、必要に応じて断続的に、または周期的に繰り返されてよい。
【００７６】
図7は、本開示の一態様による、メッセージビーコンデバイス内のトランシーバに関連するリソース消費を分析するための方法700を大まかに示す。方法700は、たとえば、図1のメッセージビーコンデバイス110または図2のメッセージビーコンデバイス210によって実行され得る。方法700は、図6の方法600に(630において)記載したようにリソース消費を分析するために実行され得る。1つの考えられる実装形態では、方法700は、メッセージビーコンデバイス210の通信コントローラ230内に含まれたトランシーバ分析器232によって実行される。例示のために、方法700は、図2のトランシーバ分析器232によって実行されることになるとしてさらに詳細に説明される。
【００７７】
710において、メッセージビーコンデバイス210は、ベースラインリソース消費インジケータを設定する。いくつかの実装形態では、ベースラインリソース消費インジケータは、たとえば、メッセージビーコンデバイス210のローカルメモリ(たとえば、メモリ構成要素242)からデータを単に取り出すことによって選択される。メッセージビーコンデバイス210は、下記に記載するように、ベースラインリソース消費インジケータを調整することができる。
【００７８】
720において、メッセージビーコンデバイス210は、メッセージビーコンデバイス210が装備する電源タイプを決定する。電源決定720に基づいて、メッセージビーコンデバイス210は、リソース消費インジケータを調整することになる。たとえば、電源が消耗電源(たとえば、バッテリ、エネルギーハーベスタ(energy harvester)など)である場合、メッセージビーコンデバイス210は、(下記で説明する730におけるように)リソース消費インジケータを増大させることができる。他方で、電源が一定電源(たとえば、ハードワイヤード電気アウトレットなど)である場合、メッセージビーコンデバイス210は、(下記で説明する735におけるように)リソース消費インジケータを低減させることができる。
【００７９】
リソース消費インジケータは、所与のトランシーバを選択するコストを決定するために、メッセージビーコンデバイス210によって使用され得る。リソース消費インジケータが高い場合、これはリソース消費のコストが高いことを示す。たとえば、メッセージビーコンデバイス210が消耗電源(たとえば、バッテリ、エネルギーハーベスタなど)を装備する場合、複数のトランシーバ上で動作するコストは高い可能性がある。対照的に、メッセージビーコンデバイス210が一定電源を装備する場合、リソース消費は、多数のトランシーバ上で動作するかどうかを決定する際の要因でない場合がある。リソース消費の低コストはリソース消費インジケータの低値において映される。
【００８０】
リソース消費インジケータが増大または低減される程度は任意に設定されてよい。他方で、リソース消費インジケータの増大または低減は、可変であってよく、追加のリソースを消費するコストを反映し得る。したがって、単なる「yes」または「no」決定の後に、設定された増大または設定された低減が続くのではなく(図7に示すように)、メッセージビーコンデバイス210は、電源の特定のタイプに基づいて、可変調整を適用することができる。
【００８１】
いくつかの実装形態では、メッセージビーコンデバイス210は、単一の電源を有し得る。この実装形態では、メッセージビーコンデバイス210内のすべてのトランシーバに関して独自の電源決定720は不要であり得る。したがって、電源決定720が方法700に組み込まれる場合、これは各トランシーバに関してではなく、一度のみ実行され得る。
【００８２】
730において、メッセージビーコンデバイス210は、リソース消費インジケータを増大させ、735において、メッセージビーコンデバイス210はリソース消費インジケータを低減させる。上述のように、メッセージビーコンデバイス210は、710において、ベースラインリソース消費インジケータを決定する。図7から理解され得るように、メッセージビーコンデバイス210は、次いで、720における電源決定に基づいて、ベースラインリソース消費インジケータを上方または下方に調整する。
【００８３】
740において、メッセージビーコンデバイス210は、トランシーバに関連するリソース消費率を決定する。740における消費率決定に基づいて、メッセージビーコンデバイス210は、リソース消費インジケータを調整することになる。たとえば、分析されているトランシーバ(たとえば、図6の620において選択されたトランシーバ)が高い電力消費率に関連付けられる場合、メッセージビーコンデバイス210は、リソース消費インジケータを増大させることができる(下記で説明する750におけるように)。他方で、分析されているトランシーバ(たとえば、図6の620において選択されたトランシーバ)が低い電力消費率に関連付けられる場合、メッセージビーコンデバイス210はリソース消費インジケータを低減させることができる(下記で説明する755におけるように)。
【００８４】
多くの変数がトランシーバのリソース消費率に影響を及ぼし得ることを理解されよう。たとえば、LTE-Dは、Bluetooth(登録商標）よりも大きい範囲を有し得る。したがって、LTE-Dに関するリソース消費率は、Bluetooth(登録商標）に関するリソース消費率よりも高い可能性がある。結果として、分析されているトランシーバがLTEトランシーバである場合、リソース消費インジケータは増大され得る(750におけるように)のに対して、分析されているトランシーバがBluetooth(登録商標）トランシーバである場合、リソース消費インジケータは低減され得る(755におけるように)。
【００８５】
追加または代替として、トランシーバは、低い送信間隔(すなわち、単位時間当たり多数のメッセージビーコンの送信)または高い送信間隔(すなわち、単位時間当たり小数のメッセージビーコンの送信)に従って動作している場合がある。低い送信間隔はより高いリソース消費をもたらし、高い送信間隔は低いリソース消費をもたらすことを理解されよう。
【００８６】
いくつかの実装形態では、740における消費率決定は、ベースラインリソース消費率に対する単純な比較によって実行され得る。740で使用されるベースラインリソース消費インジケータは、たとえば、ワイヤレスデバイスメッセージビーコンデバイス210のローカルメモリ(たとえば、メモリ構成要素242)から単に取り出されてよい。ベースラインリソース消費率は、リソース消費インジケータの増大または低減に値しないリソース消費率(たとえば、従来の中域トランシーバの平均リソース消費率)に等しく設定されてよい。分析されるトランシーバに関連するリソース消費率がベースラインよりも高い(または、低い)場合、リソース消費インジケータは、たとえば、図7に示すように、設定量だけ増大(または、低減)され得る。
【００８７】
別の実装形態では、メッセージビーコンデバイス210は、分析されるトランシーバのリソース消費率に比例する可変調整を適用し得る。たとえば、分析されるトランシーバに関連するリソース消費率がベースラインよりもはるかに高い(または、はるかに低い)場合、リソース消費インジケータは、たとえば、大幅に増大(または、大幅に低減)され得る。リソース消費率は、たとえば、実際のトランシーバ動作に基づくリソース消費率の実際の測定値、またはトランシーバ仕様、実際的な経験などに基づく所定の値または推定値に基づいて決定され得る。
【００８８】
上述のように、方法700は、方法600の動作におけるサブルーチンをなし得る。具体的には、方法700は、図6の630におけるように、リソース消費を分析するための特定の方法であり得る。方法700の結果は、特定のトランシーバに関連付けられたリソース消費インジケータであり得る。リソース消費インジケータは、特定のトランシーバを動作させるコストが高いときには高く、特定のトランシーバを動作させるコストが低いときには低い。特定のトランシーバを動作させるコストが高い(すなわち、それが、リソース消費分析に基づいて高いリソース消費インジケータに関連付けられる)場合、メッセージビーコンデバイス210は、670において選択された送信セット内にそのトランシーバを含める可能性はより低い。他方で、低い動作コストに関連付けられたトランシーバは、追加される可能性がより高い。
【００８９】
図8は、本開示の一態様による、メッセージビーコンデバイス内のトランシーバに関連する干渉を分析するための方法800を大まかに示す。方法800は、たとえば、図1のメッセージビーコンデバイス110または図2のメッセージビーコンデバイス210によって実行され得る。方法800は、図6の方法600に(640において)記載したように干渉を分析するために実行され得る。1つの考えられる実装形態では、方法800は、メッセージビーコンデバイス210の通信コントローラ230内に含まれたトランシーバ分析器232によって実行される。例示のために、方法800は、図2のトランシーバ分析器232によって実行されることになるとしてさらに詳細に説明されるであろう。
【００９０】
810において、メッセージビーコンデバイス210は、ベースライン干渉インジケータを設定する。いくつかの実装形態では、ベースラインリソース消費インジケータは、たとえば、ワイヤレスデバイスメッセージビーコンデバイス210のローカルメモリ(たとえば、メモリ構成要素242)からデータを単に取り出すことによって選択される。メッセージビーコンデバイス210は、下記に記載するように、ベースライン干渉インジケータを調整することができる。
【００９１】
820において、メッセージビーコンデバイス210は、分析されている特定のトランシーバの動作が、メッセージビーコンデバイス210に関連する別のトランシーバとの干渉を引き起こすことになるかどうかを決定する。820における干渉決定に基づいて、メッセージビーコンデバイス210は、干渉インジケータを調整することになる。たとえば、トランシーバを動作させることが別のトランシーバとの干渉を引き起こす可能がある場合、メッセージビーコンデバイス210は干渉インジケータを増大させることができる(下記で説明する830におけるように)。他方で、何の干渉問題も存在しない場合、メッセージビーコンデバイス210は、干渉インジケータを低減させ得る(下記で説明する835におけるように)。
【００９２】
干渉インジケータは、所与のトランシーバを選択するコストを決定するために、メッセージビーコンデバイス210によって使用され得る。干渉インジケータが高い場合、これは干渉のコストが高いことを示す。たとえば、分析されるトランシーバの動作が別のトランシーバの動作に干渉することになる場合、他のトランシーバは、P2Pリンク(または、潜在的なP2Pリンク)を維持するために、その送信電力を増大することによって応じ得る。したがって、メッセージビーコンデバイス210に関連するリソース消費は増大することになる。別の例として、他のトランシーバは、その送信間隔を低減させることによって干渉に応じ得る。これも、メッセージビーコンデバイス210に関連するリソース消費を増大させ得る。
【００９３】
追加または代替として、他のトランシーバは、送信電力を増大させること、またはその送信間隔を低減させることが可能でない場合がある。結果として、他のトランシーバは、1つまたは複数のP2Pリンクを維持することができない場合がある。このシナリオでは、他のトランシーバのリーチは、分析されるトランシーバによって引き起こされる干渉によって危険にさらされる。したがって、分析されるトランシーバに関連する干渉インジケータは増大され得る。
【００９４】
干渉インジケータが増大または低減される程度は任意に設定されてよい。他方で、干渉インジケータの増大または低減は、可変であってよく、干渉の程度を反映し得る。したがって、単なる「yes」または「no」決定の後に、設定された増大または設定された低減が続くのではなく(図8に示すように)、メッセージビーコンデバイス210は、干渉の量に基づいて、可変調整を適用することができる。
【００９５】
830において、メッセージビーコンデバイス210は、干渉インジケータを増大させ、835において、メッセージビーコンデバイス210は、干渉インジケータを低減させる。上述のように、メッセージビーコンデバイス210は、810において、ベースラインリソース消費インジケータを決定する。図8から理解され得るように、メッセージビーコンデバイス210は、次いで、820における干渉決定に基づいて、ベースライン干渉インジケータを上方または下方に調整する。
【００９６】
いくつかの実装形態では、メッセージビーコンデバイス210は、分析されるトランシーバによって引き起こされる干渉の量が任意の干渉しきい値を上回ることになるという、820における決定に応じて、干渉インジケータを増大させることができる。干渉しきい値は、実質的な干渉を反映する非ゼロ値であり得る。他の実装形態では、メッセージビーコンデバイス210は、干渉の量に比例する可変調整を適用し得る。たとえば、分析されるトランシーバに関連する干渉がベースラインよりもはるかに高い(または、はるかに低い)場合、干渉インジケータは、たとえば、大幅に増大(または、大幅に低減)され得る。干渉は、他のトランシーバにおける干渉を計測することによって、またはトランシーバ仕様、実際的な経験などに基づく所定の値または推定値に基づいて決定され得る。トランシーバ仕様、実際的な経験などに基づく所定の値または推定値は、必要に応じて、メッセージビーコンデバイス210によってアクセスされ得るルックアップテーブル内に記憶され得る。
【００９７】
上述のように、方法800は、方法600の動作におけるサブルーチンをなし得る。具体的には、方法800は、図6の640におけるように、干渉を分析するための特定の方法であり得る。方法800の結果は、特定のトランシーバに関連付けられた干渉インジケータであり得る。それが別のトランシーバのリーチに悪影響を及ぼすとき、またはそれが他のトランシーバのリーチを維持するために必要なリソース消費量を増大させるとき、干渉インジケータは高い。特定のトランシーバによって引き起こされる干渉が高い(すなわち、それが、干渉分析に基づいて高い干渉インジケータに関連付けられる)場合、メッセージビーコンデバイス210が、670において選択された送信セット内にそのトランシーバを含める可能性はより低い。他方で、低い干渉に関連付けられたトランシーバは、追加される可能性がより高い。
【００９８】
図9は、本開示の一態様による、メッセージビーコンデバイス内のトランシーバに関連するリーチを分析するための方法900を大まかに示す。方法900は、たとえば、図1のメッセージビーコンデバイス110または図2のメッセージビーコンデバイス210によって実行され得る。代替として、方法900は、外部サーバ(たとえば、クラウドサーバ)によって実行され得る。1つの考えられる実装形態では、外部サーバは、メッセージビーコンデバイス110のリーチを決定し、その決定の結果をメッセージビーコンデバイス110に送信する。別の考えられる実装形態では、メッセージビーコンは、ワイヤレスデバイスを介して外部サーバに中継される1つまたは複数のリーチパラメータを含む。外部サーバは、リーチパラメータを処理し、メッセージビーコンデバイス110の構成を変更することができる。たとえば、外部サーバは、プロトコルまたはアプリケーションをオフにすること、送信のデューティサイクルを低減させることなどが可能である。
【００９９】
方法900は、図6の方法600に(650において)記載したようにリーチを分析するために実行され得る。1つの考えられる実装形態では、方法900は、メッセージビーコンデバイス210の通信コントローラ230内に含まれたトランシーバ分析器232によって実行される。例示のために、方法900は、図2のトランシーバ分析器232によって実行されることになるとしてさらに詳細に説明される。910において、メッセージビーコンデバイス210は肯定応答を受信する。いくつかの実装形態では、メッセージビーコンデバイス210によって送信されるメッセージビーコンを受信するワイヤレスデバイスは、肯定応答を送信することによって応じることになる。そのような実装形態では、メッセージビーコンデバイス210は、いくつのワイヤレスデバイスが特定のトランシーバによって到達されているかを決定することができる。
【０１００】
たとえば、図1のシナリオでは、メッセージビーコンデバイス110は、第1のトランシーバ(たとえば、図2の第1のトランシーバ222に類似する)と第3のトランシーバ(たとえば、図2の第3のトランシーバ226に類似する)の両方を使用してメッセージビーコンを送ることができる。この例では、第1のトランシーバによって送られたメッセージビーコンは(第1のP2Pリンク122を介して)ワイヤレスデバイス120に、および(第1のP2Pリンク132を介して)ワイヤレスデバイス130に到達することになるのに対して、第3のトランシーバによって送られたメッセージビーコンは、(第3のP2Pリンク126を介して)ワイヤレスデバイス120に、(第3のP2Pリンク146を介して)ワイヤレスデバイス140に、および(第3のP2Pリンク166を介して)ワイヤレスデバイス160に到達することになる。それぞれのワイヤレスデバイスが肯定応答で応じるように構成される場合、メッセージビーコンデバイス110は、第1のトランシーバを介して、ワイヤレスデバイス120および130から肯定応答を受信することができ、第3のトランシーバを介して、ワイヤレスデバイス120、140、および160から肯定応答を受信することができる。
【０１０１】
920において、メッセージビーコンデバイス210は、910において受信された肯定応答をカウントする。特定のトランシーバのリーチは、そのトランシーバによって受信された肯定応答の数を分析することによって決定され得る。したがって、メッセージビーコンデバイス210は、920において、肯定応答をカウントすることによって、各トランシーバのリーチを決定することができる。
【０１０２】
受信された肯定応答の数は、たとえば、設定された時間期間(過去30秒、過去5分など)にわたって受信された肯定応答の数として計算され得る。肯定応答の数は、一意のワイヤレスデバイスからの肯定応答の数であってもよく、たとえば、設定された時間期間にわたって、10個の肯定応答が単一のワイヤレスデバイスから受信された場合、これは単一の一意の肯定応答としてカウントすることができる。
【０１０３】
さらに別の実装形態では、特定のトランシーバに関する肯定応答で応じるワイヤレスデバイスのリストを、他のトランシーバに関する肯定応答で応じるワイヤレスデバイスのリストと比較することができる。メッセージビーコンデバイス210は(920において)、分析されるトランシーバの動作をもっぱら介して到達のみされ得る追加のワイヤレスデバイスのみをカウントすることができる。たとえば、図1に示されたワイヤレスデバイス160は、第3のP2Pリンク166を使用して、メッセージビーコンを受信すること(および、肯定応答で応じること)のみが可能である。メッセージビーコンデバイス210は、第3のP2Pリンク126および第3のP2Pリンク146上で(それぞれ、ワイヤレスデバイス120および140から)肯定応答を受信することもできるが、メッセージビーコンデバイス210は、(P2Pリンク122、124、144を介して)他のトランシーバを使用してワイヤレスデバイス120および140に到達することができると決定することができる。したがって、第3のトランシーバを使用して3つの異なるワイヤレスデバイス(ワイヤレスデバイス120、140、160)に到達することができるが、もっぱら第3のトランシーバによって到達される追加のワイヤレスデバイスは1つのみ(ワイヤレスデバイス160)存在する。
【０１０４】
930において、メッセージビーコンデバイス210は、ベースラインリーチインジケータを設定する。ベースラインリソース消費インジケータおよびベースライン干渉インジケータのように、ベースラインリーチインジケータは、方法900において実行される分析に基づいて、上方または下方に調整され(増大または低減され)得る。いくつかの実装形態では、ベースラインリーチインジケータは、たとえば、ワイヤレスデバイスメッセージビーコンデバイス210のローカルメモリ(たとえば、メモリ構成要素242)から取り出される。ベースラインリーチインジケータは、リーチインジケータの増大または低減に値しない肯定応答の数(たとえば、メッセージビーコンを送信するコストを正当化する、受信された肯定応答の数)に等しく設定され得る。ベースラインリーチインジケータは、分析されているトランシーバに固有であり得る。分析されるトランシーバに関連する、受信された肯定応答の数がベースラインよりも高い(または、低い)場合、リーチインジケータは、たとえば、図9に示すように、設定量だけ増大(または、低減)され得る。
【０１０５】
別の実装形態では、メッセージビーコンデバイス210は、分析されるトランシーバによって受信された肯定応答の数に比例する可変調整を適用し得る。たとえば、分析されるトランシーバに関連する肯定応答の数がベースラインよりもはるかに高い(または、はるかに低い)場合、リーチインジケータは、たとえば、大幅に増大(または、大幅に低減)され得る。
【０１０６】
940において、メッセージビーコンデバイス210は、受信された肯定応答の数が、予想される、受信された肯定応答の数を上回るかどうかを決定する。たとえば、予想される、受信された肯定応答の数が2個の肯定応答であると仮定する。メッセージビーコンデバイス210が3個の肯定応答をカウントする場合、メッセージビーコンデバイス210は、分析されている特定のトランシーバのリーチは高いと決定することができ、リーチインジケータは増大され得る(下記で説明する950におけるように)。他方で、メッセージビーコンデバイス210が1個の肯定応答をカウントする場合、メッセージビーコンデバイス210は、分析されている特定のトランシーバのリーチは低いと決定することができ、リーチインジケータは低減され得る(下記で説明する960におけるように)。
【０１０７】
1つの考えられる実装形態では、予想される、受信された肯定応答の数は、方法900の前の反復において実際に受信された肯定応答の数に設定され、ベースラインリーチインジケータは、方法900の前の反復において最終的に達したリーチインジケータに設定される。したがって、所与の反復において受信された肯定応答の数が前の反復において受信された肯定応答の数を上回る場合、リーチインジケータは増大されてよく、所与の反復において受信された肯定応答の数が前の反復において受信された肯定応答の数に満たない場合、リーチインジケータは低減されてよい。上述のように、メッセージビーコンを受信するすべてのワイヤレスデバイスが次に肯定応答を送信することになるとは限らない。たとえば、ユニキャストメッセージビーコンがワイヤレスデバイスによって受信されるとき、ワイヤレスデバイスは、一般に、肯定応答を送ることになるが、ワイヤレスデバイスは、ブロードキャストメッセージビーコンに応じて肯定応答を送ることはできない。しかしながら、メッセージビーコンデバイスは、それがユニキャストモードで送信しているか、マルチキャストモードで送信しているか、またはブロードキャストモードで送信しているかにかかわらず、肯定応答を要求するように構成され得る。その上、いくつかの実装形態では、肯定応答を随意に送るようにユーザに催促するために、メッセージビーコンを使用することができる。したがって、メッセージビーコンを受信する、100%に満たないワイヤレスデバイスが肯定応答を実際に送る場合ですら、受信された肯定応答の数を使用して、トランシーバのリーチを推定することができる。
【０１０８】
リーチインジケータが増大または低減される程度は任意に設定されてよい。他方で、リーチインジケータの増大または低減は、可変であってよく、特定の数の追加のワイヤレスデバイスに到達する利益を反映し得る。したがって、単なる「yes」または「no」決定の後に、設定された増大または設定された低減が続くのではなく(図9に示すように)、メッセージビーコンデバイス210は、到達されたワイヤレスデバイスの数に基づいて、可変調整を適用することができる。
【０１０９】
950において、メッセージビーコンデバイス210は、リーチインジケータを増大させ、960において、メッセージビーコンデバイス210は、リーチインジケータを低減させる。上述のように、メッセージビーコンデバイス210は、930において、ベースラインリーチインジケータを決定する。図9から理解され得るように、メッセージビーコンデバイス210は、次いで、肯定応答決定940に基づいて、ベースラインリーチインジケータを上方または下方に調整する。
【０１１０】
上述のように、方法900は、方法600の動作におけるサブルーチンをなし得る。具体的には、方法900は、図6の650におけるように、リーチを分析するための特定の方法であり得る。方法900の結果は、特定のトランシーバに関連付けられたリーチインジケータであり得る。リーチインジケータは、特定のトランシーバを動作させる利益が高いときには高く、特定のトランシーバを動作させる利益が低いときには低い。特定のトランシーバを動作させる利益が高い(すなわち、それが、リーチ分析に基づいて高いリーチインジケータに関連付けられる)場合、メッセージビーコンデバイス210が、670において選択された送信セット内にそのトランシーバを含める可能性はより高い。他方で、低いリーチに関連付けられたトランシーバが追加される可能性はより低い。
【０１１１】
リーチを分析するための追加の方法が存在することを理解されよう。肯定応答は、特定のトランシーバがマルチキャスト送信モードまたはブロードキャスト送信モード(すなわち、肯定応答を要求しないことがある送信モード)に大きく依存するシナリオでは特に、肯定応答が常に受信され得るとは限らない可能性がある。結果として、いくつかのトランシーバに関するリーチ分析は、リーチを分析する異なる方法に依存する場合もある。たとえば、トランシーバの範囲を使用して、リーチを推定することができる。他がすべて等しい場合、より大きな距離にメッセージビーコンを送信するトランシーバはより多くのワイヤレスデバイスに達することになる。したがって、トランシーバのリーチは、トランシーバの地理的範囲に基づいて推定され得る。
【０１１２】
別の例として、トランシーバのベンダー/製造会社を使用して、リーチを推定することができる。たとえば、メッセージビーコンデバイスは、ベンダー固有のプロプライエタリ機構または製造会社固有のプロプライエタリ機構を使用してメッセージビーコンを送ることができる。このシナリオでは、そのプロプライエタリ機構に従って動作するように構成されたワイヤレスデバイスのみがメッセージビーコンを受信することになる。他がすべて等しい場合、プロプライエタリ機構に従ってメッセージビーコンを送信するトランシーバはより少ないワイヤレスデバイスに到達することになる。したがって、特定のトランシーバのリーチインジケータは、そのトランシーバが関連付けられるベンダーまたは製造会社に基づいて設定され得る。プロプライエタリ機構に鑑みてリーチインジケータを設定することによって、メッセージビーコンデバイス210は、トランシーバのリーチのより良好な推定を決定することができる。
【０１１３】
さらに別の例として、単一のトランシーバは、第1のプロトコルまたはアプリケーション、ならびに第2のプロトコルまたはアプリケーションに基づいて(たとえば、両方のプロプライエタリ機構を使用して)動作することができる。1つのプロトコルまたは他のプロトコルに基づく動作がより大きなリーチをもたらし、リソースが乏しい場合、他のプロトコルに基づく動作を中断することができる。
【０１１４】
1つの考えられる実装形態では、930において、ベースラインリーチインジケータは、分析されているトランシーバに関連する地理的範囲および/またはプロプライエタリ機構に基づいて設定される。リーチインジケータは、次いで、リーチが肯定応答の点でさらに分析され得る場合、増大または低減され得る(950、960)。
【０１１５】
図6に戻ると、670において設定された送信の選択は630において実行されたリソース消費分析、640において実行された干渉分析、および650において実行されたリーチ分析のうちの1つまたは複数に依存することを理解されよう。したがって、メッセージビーコンデバイス210は、それぞれ、630、640、および650において実行された分析に相関するサブルーチンとして、方法700、800、または900のうちのいずれかを実行することができる。
【０１１６】
上述のように、630、640、および650において実行された分析の出力は、リソース消費インジケータ、干渉インジケータ、およびリーチインジケータである。いくつかのシナリオでは、分析630、640、650は、610において特定された複数のトランシーバの各トランシーバに関して繰り返される。その結果はアレイとして理解することができ、複数のトランシーバの各々は3つの異なるインジケータの各々に関連付けられる。したがって、送信セットは、値のアレイに従って、670において選択され得る。
【０１１７】
上述のように、リソース消費インジケータは、特定のトランシーバを動作させるコストを反映する。したがって、特定のトランシーバが低いリソース消費インジケータを有する場合、メッセージビーコンデバイス210が670において動作のためにそのトランシーバを選択することになる機会は増大する。同様に、リーチインジケータは、特定のトランシーバを動作させる利益を反映する。したがって、特定のトランシーバが高いリーチインジケータを有する場合、メッセージビーコンデバイス210が670において動作のためにそのトランシーバを選択することになる機会は増大する。特定のトランシーバに関する干渉インジケータが高い場合、これは、より高いコストまたは低減された利益のいずれかを反映し得る。したがって、特定のトランシーバが低い干渉インジケータを有する場合、メッセージビーコンデバイス210が670において動作のためにそのトランシーバを選択することになる機会は増大する。
【０１１８】
メッセージビーコンデバイス210は、たとえば、スコアリングシステムを使用して、様々なインジケータ間のバランスをとり得る。スコアリングは、実際的な考慮に基づいて随意に決定され得る。スコアリングシステムの多くの考えられる実装形態のうちの1つでは、(肯定的結果を反映する)リーチインジケータが(否定的結果を反映する)リソース消費インジケータと干渉インジケータの和の逆数と比較される。肯定的結果の場合、送信セットに関してそのトランシーバが選択され、否定的結果の場合、送信セットに関してそのトランシーバは選択されない。他の実装形態が可能であることを理解されよう。たとえば、インジケータは任意に割り当てられた重みを有し得る。
【０１１９】
当業者は、情報および信号が、様々な異なる技術および技法のいずれを使用しても表現される場合があることを諒解されよう。たとえば、上の説明全体にわたって言及され得るデータ、命令、コマンド、情報、信号、ビット、シンボル、およびチップは、電圧、電流、電磁波、磁場または磁性粒子、光場または光学粒子、またはそれらの任意の組合せによって表現され得る。
【０１２０】
さらに、本明細書で開示する実施形態に関して説明する様々な例示的な論理ブロック、モジュール、回路、およびアルゴリズムステップが、電子ハードウェア、コンピュータソフトウェア、または両方の組合せとして実装され得ることが、当業者には諒解されよう。ハードウェアとソフトウェアのこの互換性を明確に示すために、上記では、様々な例示的な構成要素、ブロック、モジュール、回路、およびステップについて、全般的にそれらの機能に関して説明した。そのような機能がハードウェアとして実装されるか、ソフトウェアとして実装されるかは、特定の用途およびシステム全体に課される設計制約によって決まる。当業者は説明した機能を特定の用途ごとに様々な方法で実装してもよいが、そのような実装決定は本発明の範囲からの逸脱を引き起こすものと解釈されるべきではない。
【０１２１】
本明細書で開示した実施形態に関連して説明した種々の例示的な論理ブロック、モジュールおよび回路は、汎用プロセッサ、デジタルシグナルプロセッサ(DSP)、特定用途向け集積回路(ASIC)、フィールドプログラマブルゲートアレイ(FPGA)または他のプログラマブル論理デバイス、個別のゲートまたはトランジスタ論理、個別のハードウェア構成要素、または本明細書で説明される機能を実行するように設計されたそれらの任意の組合せを用いて、実装されるか、または実行される場合がある。汎用プロセッサは、マイクロプロセッサであってもよいが、代替として、このプロセッサは、任意の従来のプロセッサ、コントローラ、マイクロコントローラ、またはステートマシンであってもよい。プロセッサはまた、コンピューティングデバイスの組合せ、たとえば、DSPおよびマイクロプロセッサの組合せ、複数のマイクロプロセッサ、DSPコアと連携した1つまたは複数のマイクロプロセッサ、または任意の他のそのような構成として実装されてもよい。
【０１２２】
本明細書で開示する実施形態に関して説明した方法、シーケンス、および/またはアルゴリズムは、ハードウェア内で直接、プロセッサによって実行されるソフトウェアモジュール内で、または2つの組合せで具現化され得る。ソフトウェアモジュールは、RAMメモリ、フラッシュメモリ、ROMメモリ、EPROMメモリ、EEPROMメモリ、レジスタ、ハードディスク、リムーバブルディスク、CD-ROM、または当技術分野において知られている任意の他の形の記憶媒体内に存在し得る。例示的な記憶媒体は、プロセッサが記憶媒体から情報を読み取り、記憶媒体に情報を書き込むことができるようにプロセッサに結合される。代替として、記憶媒体はプロセッサに一体化され得る。プロセッサおよび記憶媒体は、ASIC内に存在することができる。ASICは、ユーザ端末(たとえば、ワイヤレスデバイス)内に存在することができる。あるいは、プロセッサおよび記憶媒体は、ユーザ端末内の個別構成要素として存在し得る。
【０１２３】
1つまたは複数の例示的な実施形態では、説明した機能は、ハードウェア、ソフトウェア、ファームウェア、またはそれらの任意の組合せにおいて実装されてもよい。ソフトウェアにおいて実装される場合、それらの機能は、1つまたは複数の命令またはコードとして、コンピュータ可読媒体上に記憶されるか、またはコンピュータ可読媒体を介して送信され得る。コンピュータ可読媒体は、コンピュータ記憶媒体と、ある場所から別の場所へのコンピュータプログラムの転送を容易にする任意の媒体を含む通信媒体の両方を含む。記憶媒体は、コンピュータがアクセスすることができるどんな利用可能な媒体であってもよい。限定ではなく例として、そのようなコンピュータ可読媒体は、RAM、ROM、EEPROM、CD-ROMまたは他の光ディスクストレージ、磁気ディスクストレージまたは他の磁気記憶デバイス、または命令またはデータ構造の形式の所望のプログラムコードを搬送または記憶するために使用可能であり、コンピュータによってアクセス可能な任意の他の媒体を備え得る。また、あらゆる接続が、コンピュータ可読媒体と適切に呼ばれる。たとえば、ソフトウェアが、同軸ケーブル、光ファイバケーブル、ツイストペア、デジタル加入者線(DSL)、または、赤外線、無線、およびマイクロ波などのワイヤレス技術を使用してウェブサイト、サーバ、または他の遠隔ソースから送信される場合、同軸ケーブル、光ファイバケーブル、ツイストペア、DSL、または、赤外線、無線、およびマイクロ波などのワイヤレス技術は、媒体の定義に含まれる。ディスク(disk)およびディスク(disc)は、本明細書で使用するとき、コンパクトディスク(disc)(CD)、レーザーディスク（登録商標）(disc)、光ディスク(disc)、デジタル多用途ディスク(disc)(DVD)、フロッピーディスク(disk)、およびブルーレイディスク(disc)を含み、ディスク(disk)は、通常、データを磁気的に再生すると同時に、ディスク(disc)は、レーザーを用いてデータを光学的に再生する。上記の組合せはまた、コンピュータ可読媒体の範囲内に含まれるものとする。
【０１２４】
前述の開示は、本発明の例示的な実施形態を示すが、添付の特許請求の範囲によって定められる本発明の範囲から逸脱することなく、本明細書において様々な変更および修正を行うことができることに留意されたい。本明細書で説明した本発明の実施形態による方法クレームの機能、ステップ、および/または、アクションは、任意の特定の順序で実行される必要はない。さらに、本発明の要素は、単数形で説明または請求される場合があるが、単数形に限定することが明示的に述べられていない限り、複数形が企図される。
【符号の説明】
【０１２５】
100  ワイヤレス通信環境
110  メッセージビーコンデバイス
112  第1の範囲、範囲
114  第2の範囲、範囲
116  第3の範囲、範囲
120  ワイヤレスデバイス
122  第1のP2Pリンク
124  第2のP2Pリンク
126  第3のP2Pリンク
130  ワイヤレスデバイス
132  第1のP2Pリンク
134  第2のP2Pリンク
140  ワイヤレスデバイス
144  第2のP2Pリンク
146  第3のP2Pリンク
150  ワイヤレスデバイス
154  第2のP2Pリンク
160  ワイヤレスデバイス
166  第3のP2Pリンク
200  メッセージビーコンシステム
210  メッセージビーコンデバイス
220  通信デバイス
222  第1のトランシーバ、トランシーバ
224  第2のトランシーバ、トランシーバ
226  第3のトランシーバ、トランシーバ
240  処理システム
242  メモリ構成要素
230  通信コントローラ
232  トランシーバ分析器
234  送信セット選択器
236  メッセージビーコン選択器
244  電源
250  ワイヤレスリンク
260  ワイヤレスデバイス
270  通信デバイス
272  第1のトランシーバ、トランシーバ
274  第2のトランシーバ、トランシーバ
276  第3のトランシーバ、トランシーバ
280  通信コントローラ
290  処理システム
292  メモリ構成要素
294  電源
300A  ワイヤレスデバイス
300B  ワイヤレスデバイス
302  プラットフォーム
305A  アンテナ
305B  タッチスクリーンディスプレイ
306  トランシーバ
308  特定用途向け集積回路(ASIC)
310  アプリケーションプログラミングインターフェース(API)
310A  ディスプレイ
310B  周辺ボタン
312  メモリ
314  ローカルデータベース
315A  ボタン
315B  周辺ボタン
320A  キーパッド
320B  周辺ボタン
325B  周辺ボタン
330B  フロントパネルボタン
400  通信デバイス
405  情報を受信および/または送信するように構成された論理
410  情報を処理するように構成された論理
415  情報を記憶するように構成された論理
420  情報を提示するように構成された論理
425  ローカルユーザ入力を受信するように構成された論理
500  方法
600  方法
700  方法
800  方法
900  方法
【図１】
2018525879.tif 000003
【図２】
2018525879.tif 000004
【図３】
2018525879.tif 000005
【図４】
2018525879.tif 000006
【図５】
2018525879.tif 000007
【図６】
2018525879.tif 000008
【図７】
2018525879.tif 000009
【図８】
2018525879.tif 000010
【図９】
2018525879.tif 000011
【国際調査報告】
2018525879.tif 000012
2018525879.tif 000013
2018525879.tif 000014